(57)【要約】【課題】従来の音響評定装置においては、音響の良し悪しを評価する場合に、人間の知覚に合致した態様で評価できない、という課題があった。【解決手段】音響を受け付ける音響受付部と、前記音響受付部が受け付けた音響から、当該音響の時間構造に関する情報である時間構造情報を抽出する時間構造情報抽出部と、音響の良し悪しを評定するための情報である模範評定情報を格納している模範評定情報格納部と、前記時間構造情報抽出部が抽出した時間構造情報と前記模範評定情報に基づく模範時間構造情報に基づいて前記音響の評定を行い、かつ所定のルールに基づいて前記音響の評定を行う評定部と、前記評定部における評定結果を出力する評定結果出力部を具備する音響評定装置により、人間の知覚に合致した態様で、音響の良し悪しを評価できる。【選択図】図１
2006251721.tif 000002
【特許請求の範囲】
【請求項１】
音響を受け付ける音響受付部と、
前記音響受付部が受け付けた音響から、当該音響の時間構造に関する情報である時間構造情報を抽出する時間構造情報抽出部と、
音響の良し悪しを評定するための情報である模範評定情報を格納している模範評定情報格納部と、
前記時間構造情報抽出部が抽出した時間構造情報と前記模範評定情報に基づく模範時間構造情報に基づいて前記音響の評定を行い、かつ所定のルールに基づいて前記音響の評定を行う評定部と、
前記評定部における評定結果を出力する評定結果出力部を具備する音響評定装置。
【請求項２】
前記評定部は、
前記時間構造情報抽出部が抽出した時間構造情報のうち、所定のまとまりのある音響部分の時間構造情報である第一時間構造情報を取得する第一時間構造情報取得手段と、
前記模範評定情報に基づく模範時間構造情報のうち、所定のまとまりのある音響部分の時間構造情報である第二時間構造情報を取得する第二時間構造情報取得手段と、
前記第一時間構造情報のうちの前半部の情報の評価値を、後半部の情報の評価値より重く評価することを示すルールである前半部強調評価ルールを格納しているルール格納手段と、
前記第一時間構造情報と前記第二時間構造情報を比較し、前記ルール格納手段に格納されているルールに基づいて評定値を算出する評定値算出手段を具備する請求項１記載の音響評定装置。
【請求項３】
前記評定部は、
前記時間構造情報抽出部が抽出した時間構造情報のうち、所定のまとまりのある音響部分の時間構造情報である第一時間構造情報を取得する第一時間構造情報取得手段と、
前記模範評定情報に基づく模範時間構造情報のうち、所定のまとまりのある音響部分の時間構造情報である第二時間構造情報を取得する第二時間構造情報取得手段と、
前記第二時間構造情報が規則的であることを示す情報であり、当該第二時間構造情報に対応する第一時間構造情報と、当該第二時間構造情報にずれが存在する場合に、当該ずれを他のずれと比較して重く評価することを示すルールである規則強調ルールを格納しているルール格納手段と、
前記第一時間構造情報と前記第二時間構造情報を比較し、前記ルール格納手段に格納されているルールに基づいて評定値を算出する評定値算出手段を具備する請求項１記載の音響評定装置。
【請求項４】
前記評定部は、
前記時間構造情報抽出部が抽出した時間構造情報のうち、所定のまとまりのある音響部分の時間構造情報である第一時間構造情報を取得する第一時間構造情報取得手段と、
前記模範評定情報に基づく模範時間構造情報のうち、所定のまとまりのある音響部分の時間構造情報である第二時間構造情報を取得する第二時間構造情報取得手段と、
前記第二時間構造情報が示す拍が規則的でなく、かつ当該第二時間構造情報に対応する第一時間構造情報の後半部と、当該第二時間構造情報の後半部にずれが存在する場合に、当該ずれを他のずれと比較して軽く評価することを示すルールである不規則後半部非強調ルールを格納しているルール格納手段と、
前記第一時間構造情報と前記第二時間構造情報を比較し、前記ルール格納手段に格納されているルールに基づいて評定値を算出する評定値算出手段を具備する請求項１記載の音響評定装置。
【請求項５】
前記評定部は、
前記時間構造情報抽出部が抽出した時間構造情報のうち、所定のまとまりのある音響部分の時間構造情報である第一時間構造情報を取得する第一時間構造情報取得手段と、
前記模範評定情報に基づく模範時間構造情報のうち、所定のまとまりのある音響部分の時間構造情報である第二時間構造情報を取得する第二時間構造情報取得手段と、
前記第二時間構造情報の前半部と前記第一時間構造情報の前半部と比較し、前記第一時間構造情報の前半部の情報が示す時間情報が、対応する前記第二時間構造情報の前半部の情報が示す時間情報と比較して伸びていることを示す場合に、当該伸びている部分のずれを、他のずれと比較して重く評価することを示すルールである前半伸長強調ルールと、
前記第二時間構造情報の後半部と前記第一時間構造情報の後半部と比較し、前記第一時間構造情報の後半部の情報が示す時間情報が、対応する前記第二時間構造情報の後半部の情報が示す時間情報と比較して縮んでいることを示す場合に、当該縮んでいる部分のずれを、他のずれと比較して重く評価することを示すルールである後半圧縮強調ルールを格納しているルール格納手段と、
前記第一時間構造情報と前記第二時間構造情報を比較し、前記ルール格納手段に格納されているルールに基づいて評定値を算出する評定値算出手段を具備する請求項１記載の音響評定装置。
【請求項６】
前記評定部は、
前記時間構造情報抽出部が抽出した時間構造情報のうち、所定のまとまりのある音響部分の時間構造情報である第一時間構造情報を取得する第一時間構造情報取得手段と、
前記模範評定情報に基づく模範時間構造情報のうち、所定のまとまりのある音響部分の時間構造情報である第二時間構造情報を取得する第二時間構造情報取得手段と、
前記模範評定情報に基づく音の強さを示す情報である音強度、または／および前記音響受付部が受け付けた音響の音強度を取得する音強度取得手段と、
前記音強度取得手段が取得した２以上の音強度の値が異なる場合には、音強度に応じた重みが加味され、評定値が算出されるというルールである音強度強調ルールを格納しているルール格納手段と、
前記第一時間構造情報と前記第二時間構造情報を比較し、前記ルール格納手段に格納されているルールに基づいて評定値を算出する評定値算出手段を具備する請求項１記載の音響評定装置。
【請求項７】
音響の入力を受け付ける音響受付部と、
前記音響受付部が受け付けた音響から、当該音響の時間構造に関する情報である時間構造情報を抽出する時間構造情報抽出部と、
音響の良し悪しを評定するための情報である模範評定情報を格納している模範評定情報格納部と、
前記時間構造情報抽出部が抽出した時間構造情報と、前記模範評定情報に基づく模範時間構造情報に基づいて、前記時間構造情報の一部の時間構造情報を補正する時間構造情報部分補正部と、
前記時間構造情報部分補正部が一部を補正して得た時間構造情報と、前記音響受付部が受け付けた音響に基づいて、補正された音響を構成する補正音響構成部と、
前記補正音響構成部が構成した音響を出力する音響出力部を具備する音響出力装置。
【請求項８】
前記時間構造情報部分補正部は、
前記時間構造情報抽出部が抽出した時間構造情報のうち、所定のまとまりのある音響部分の時間構造情報である第一時間構造情報を取得する第一時間構造情報取得手段と、
前記模範評定情報に基づく模範時間構造情報のうち、所定のまとまりのある音響部分の時間構造情報である第二時間構造情報を取得する第二時間構造情報取得手段と、
前記第一時間構造情報のうちの前半部の情報のずれを、対応する第二時間構造情報に基づいて補正をする前半部分補正手段を具備する請求項７記載の音響出力装置。
【請求項９】
前記時間構造情報部分補正部は、
前記時間構造情報抽出部が抽出した時間構造情報のうち、所定のまとまりのある音響部分の時間構造情報である第一時間構造情報を取得する第一時間構造情報取得手段と、
前記模範評定情報に基づく模範時間構造情報のうち、所定のまとまりのある音響部分の時間構造情報である第二時間構造情報を取得する第二時間構造情報取得手段と、
前記第二時間構造情報が規則的であることを示す情報であり、当該第二時間構造情報に対応する第一時間構造情報と、当該第二時間構造情報にずれが存在する場合に、前記第一時間構造情報のうちの当該ずれを前記第二時間構造情報に基づいて補正する規則部分補正手段を具備する請求項７記載の音響出力装置。
【請求項１０】
前記時間構造情報部分補正部は、
前記時間構造情報抽出部が抽出した時間構造情報のうち、所定のまとまりのある音響部分の時間構造情報である第一時間構造情報を取得する第一時間構造情報取得手段と、
前記模範評定情報に基づく模範時間構造情報のうち、所定のまとまりのある音響部分の時間構造情報である第二時間構造情報を取得する第二時間構造情報取得手段を具備し、
前記第二時間構造情報が規則的ではない場合に、当該第二時間構造情報に対応する第一時間構造情報の後半部は補正しないことを特徴とする請求項７記載の音響出力装置。
【請求項１１】
前記時間構造情報部分補正部は、
前記時間構造情報抽出部が抽出した時間構造情報のうち、所定のまとまりのある音響部分の時間構造情報である第一時間構造情報を取得する第一時間構造情報取得手段と、
前記模範評定情報に基づく模範時間構造情報のうち、所定のまとまりのある音響部分の時間構造情報である第二時間構造情報を取得する第二時間構造情報取得手段と、
前記第二時間構造情報の前半部と前記第一時間構造情報前半部と比較し、前記第一時間構造情報の前半部の情報が示す時間情報が、対応する前記第二時間構造情報の前半部の情報が示す時間情報と比較して伸びていることを示す場合に、当該第一時間構造情報の該当部分を、前記第二時間構造情報に基づいて補正する前半伸長部分補正手段、および／または前記第二時間構造情報の後半部と前記第一時間構造情報後半部と比較し、前記第一時間構造情報の後半部の情報が示す時間情報が、対応する前記第二時間構造情報の後半部の情報が示す時間情報と比較して縮んでいることを示す場合に、当該第一時間構造情報の該当部分を、前記第二時間構造情報に基づいて補正する後半圧縮部分補正手段を具備する請求項７記載の音響出力装置。
【請求項１２】
コンピュータに、
音響を受け付ける音響受付ステップと、
前記音響受付ステップで受け付けた音響から、当該音響の時間構造に関する情報である時間構造情報を抽出する時間構造情報抽出ステップと、
前記時間構造情報抽出ステップで抽出した時間構造情報と格納されている模範評定情報に基づく模範時間構造情報に基づいて前記音響の評定を行い、かつ所定のルールに基づいて前記音響の評定を行う評定ステップと、
前記評定ステップにおける評定結果を出力する評定結果出力ステップを実行させるためのプログラム。
【請求項１３】
コンピュータに、
音響の入力を受け付ける音響受付ステップと、
前記音響受付ステップで受け付けた音響から、当該音響の時間構造に関する情報である時間構造情報を抽出する時間構造情報抽出ステップと、
前記時間構造情報抽出ステップで抽出した時間構造情報と、格納している模範評定情報に基づく模範時間構造情報に基づいて、前記時間構造情報の一部の時間構造情報を補正する時間構造情報部分補正ステップと、
前記時間構造情報部分補正ステップで一部を補正して得た時間構造情報と、前記音響受付部が受け付けた音響に基づいて、補正された音響を構成する補正音響構成ステップと、
前記補正音響構成ステップで構成した音響を出力する音響出力ステップを実行させるためのプログラム。
【発明の詳細な説明】
【技術分野】
【０００１】
本発明は、入力された音声や楽音などの音響の良し悪しを評価する装置等に関し、特に、語学学習や音楽演奏の学習等に利用できる音響評定装置等に関するものである。
【背景技術】
【０００２】
従来の技術として、以下の語学学習装置がある（特許文献１参照）。本語学学習装置は、学習者が選択した役割の発音をレファランスデータと比較して一致度によって点数化して表示し、点数によって適当な次の画面を自動に表示することにより、学習能率を向上させる装置である。本従来の語学学習装置は、入力された音声信号は音声認識技術により分析された後、標準音データと一致度が比較されて点数が与えられ、学習者発音のスペクトルと抑揚とが学習者発音表示ボックスに表れるという構成になっている。
【特許文献１】特開２００３−２２８２７９（第１頁、第１図等）
【発明の開示】
【発明が解決しようとする課題】
【０００３】
しかし、入力された音響の自然性などの音響の良し悪しの評価は、特に、語学学習等において極めて重要であるにも関わらず、従来の語学学習装置は、当該音響の良し悪しを評価する機能を有しなかった。
また、音響の良し悪しを評価する場合に、人間の知覚に合致した態様で評価できなかった。
【課題を解決するための手段】
【０００４】
本第一の発明の音響評定装置は、音響を受け付ける音響受付部と、前記音響受付部が受け付けた音響から、当該音響の時間構造に関する情報である時間構造情報を抽出する時間構造情報抽出部と、音響の良し悪しを評定するための情報である模範評定情報を格納している模範評定情報格納部と、前記時間構造情報抽出部が抽出した時間構造情報と前記模範評定情報に基づく模範時間構造情報に基づいて前記音響の評定を行い、かつ所定のルールに基づいて前記音響の評定を行う評定部と、前記評定部における評定結果を出力する評定結果出力部を具備する音響評定装置である。
かかる構成により、音響の良し悪しを評価する場合に、人間の知覚に合致した態様で評価できる。
【０００５】
また、本第二の発明の音響評定装置は、第一の発明に対して、前記評定部は、前記時間構造情報抽出部が抽出した時間構造情報のうち、所定のまとまりのある音響部分の時間構造情報である第一時間構造情報を取得する第一時間構造情報取得手段と、前記模範評定情報に基づく模範時間構造情報のうち、所定のまとまりのある音響部分の時間構造情報である第二時間構造情報を取得する第二時間構造情報取得手段と、前記第一時間構造情報のうちの前半部の情報の評価値を、後半部の情報の評価値より重く評価することを示すルールである前半部強調評価ルールを格納しているルール格納手段と、前記第一時間構造情報と前記第二時間構造情報を比較し、前記ルール格納手段に格納されているルールに基づいて評定値を算出する評定値算出手段を具備する音響評定装置である。
かかる構成により、音響の良し悪しを評価する場合に、人間の知覚に合致した態様で評価できる。
【０００６】
また、本第三の発明の音響評定装置は、第一の発明に対して、前記評定部は、前記時間構造情報抽出部が抽出した時間構造情報のうち、所定のまとまりのある音響部分の時間構造情報である第一時間構造情報を取得する第一時間構造情報取得手段と、前記模範評定情報に基づく模範時間構造情報のうち、所定のまとまりのある音響部分の時間構造情報である第二時間構造情報を取得する第二時間構造情報取得手段と、前記第二時間構造情報が規則的であることを示す情報であり、当該第二時間構造情報に対応する第一時間構造情報と、当該第二時間構造情報にずれが存在する場合に、当該ずれを他のずれと比較して重く評価することを示すルールである規則強調ルールを格納しているルール格納手段と、前記第一時間構造情報と前記第二時間構造情報を比較し、前記ルール格納手段に格納されているルールに基づいて評定値を算出する評定値算出手段を具備する音響評定装置である。
かかる構成により、音響の良し悪しを評価する場合に、人間の知覚に合致した態様で評価できる。
【０００７】
また、本第四の発明の音響評定装置は、第一の発明に対して、前記評定部は、前記時間構造情報抽出部が抽出した時間構造情報のうち、所定のまとまりのある音響部分の時間構造情報である第一時間構造情報を取得する第一時間構造情報取得手段と、前記模範評定情報に基づく模範時間構造情報のうち、所定のまとまりのある音響部分の時間構造情報である第二時間構造情報を取得する第二時間構造情報取得手段と、前記第二時間構造情報が示す拍が規則的でなく、かつ当該第二時間構造情報に対応する第一時間構造情報の後半部と、当該第二時間構造情報の後半部にずれが存在する場合に、当該ずれを他のずれと比較して軽く評価することを示すルールである不規則後半部非強調ルールを格納しているルール格納手段と、前記第一時間構造情報と前記第二時間構造情報を比較し、前記ルール格納手段に格納されているルールに基づいて評定値を算出する評定値算出手段を具備する音響評定装置である。
かかる構成により、音響の良し悪しを評価する場合に、人間の知覚に合致した態様で評価できる。
【０００８】
また、本第五の発明の音響評定装置は、第一の発明に対して、前記評定部は、前記時間構造情報抽出部が抽出した時間構造情報のうち、所定のまとまりのある音響部分の時間構造情報である第一時間構造情報を取得する第一時間構造情報取得手段と、前記模範評定情報に基づく模範時間構造情報のうち、所定のまとまりのある音響部分の時間構造情報である第二時間構造情報を取得する第二時間構造情報取得手段と、前記第二時間構造情報の前半部と前記第一時間構造情報の前半部と比較し、前記第一時間構造情報の前半部の情報が示す時間情報が、対応する前記第二時間構造情報の前半部の情報が示す時間情報と比較して伸びていることを示す場合に、当該伸びている部分のずれを、他のずれと比較して重く評価することを示すルールである前半伸長強調ルールと、前記第二時間構造情報の後半部と前記第一時間構造情報の後半部と比較し、前記第一時間構造情報の後半部の情報が示す時間情報が、対応する前記第二時間構造情報の後半部の情報が示す時間情報と比較して縮んでいることを示す場合に、当該縮んでいる部分のずれを、他のずれと比較して重く評価することを示すルールである後半圧縮強調ルールを格納しているルール格納手段と、前記第一時間構造情報と前記第二時間構造情報を比較し、前記ルール格納手段に格納されているルールに基づいて評定値を算出する評定値算出手段を具備する音響評定装置である。
かかる構成により、音響の良し悪しを評価する場合に、人間の知覚に合致した態様で評価できる。
【０００９】
また、本第六の発明の音響評定装置は、第一の発明に対して、前記評定部は、前記時間構造情報抽出部が抽出した時間構造情報のうち、所定のまとまりのある音響部分の時間構造情報である第一時間構造情報を取得する第一時間構造情報取得手段と、前記模範評定情報に基づく模範時間構造情報のうち、所定のまとまりのある音響部分の時間構造情報である第二時間構造情報を取得する第二時間構造情報取得手段と、前記模範評定情報に基づく音の強さを示す情報である音強度、または／および前記音響受付部が受け付けた音響の音強度を取得する音強度取得手段と、前記音強度取得手段が取得した２以上の音強度の値が異なる場合には、音強度に応じた重みが加味され、評定値が算出されるというルールである音強度強調ルールを格納しているルール格納手段と、前記第一時間構造情報と前記第二時間構造情報を比較し、前記ルール格納手段に格納されているルールに基づいて評定値を算出する評定値算出手段を具備する音響評定装置である。
かかる構成により、音の強さが時間構造のずれに与える影響を加味した、音響の評定ができる。そのため、さらに人間の知覚に合致した音響の評定が可能となる。
【００１０】
また、本第七の発明の音響評定装置は、音響の入力を受け付ける音響受付部と、前記音響受付部が受け付けた音響から、当該音響の時間構造に関する情報である時間構造情報を抽出する時間構造情報抽出部と、音響の良し悪しを評定するための情報である模範評定情報を格納している模範評定情報格納部と、前記時間構造情報抽出部が抽出した時間構造情報と、前記模範評定情報に基づく模範時間構造情報に基づいて、前記時間構造情報の一部の時間構造情報を補正する時間構造情報部分補正部と、前記時間構造情報部分補正部が一部を補正して得た時間構造情報と、前記音響受付部が受け付けた音響に基づいて、補正された音響を構成する補正音響構成部と、前記補正音響構成部が構成した音響を出力する音響出力部を具備する音響出力装置である。
かかる構成により、少ない処理量で、人間の知覚に違和感がない、良好な音響を出力することができる。
【００１１】
また、本第八の発明の音響評定装置は、第七の発明に対して、前記時間構造情報部分補正部は、前記時間構造情報抽出部が抽出した時間構造情報のうち、所定のまとまりのある音響部分の時間構造情報である第一時間構造情報を取得する第一時間構造情報取得手段と、前記模範評定情報に基づく模範時間構造情報のうち、所定のまとまりのある音響部分の時間構造情報である第二時間構造情報を取得する第二時間構造情報取得手段と、前記第一時間構造情報のうちの前半部の情報のずれを、対応する第二時間構造情報に基づいて補正をする前半部分補正手段を具備する音響出力装置である。
かかる構成により、少ない処理量で、人間の知覚に違和感がない、良好な音響を出力することができる。
【００１２】
また、本第九の発明の音響評定装置は、第七の発明に対して、前記時間構造情報部分補正部は、前記時間構造情報抽出部が抽出した時間構造情報のうち、所定のまとまりのある音響部分の時間構造情報である第一時間構造情報を取得する第一時間構造情報取得手段と、前記模範評定情報に基づく模範時間構造情報のうち、所定のまとまりのある音響部分の時間構造情報である第二時間構造情報を取得する第二時間構造情報取得手段と、前記第二時間構造情報が規則的であることを示す情報であり、当該第二時間構造情報に対応する第一時間構造情報と、当該第二時間構造情報にずれが存在する場合に、前記第一時間構造情報のうちの当該ずれを前記第二時間構造情報に基づいて補正する規則部分補正手段を具備する音響出力装置である。
かかる構成により、少ない処理量で、人間の知覚に違和感がない、良好な音響を出力することができる。
【００１３】
また、本第十の発明の音響評定装置は、第七の発明に対して、前記時間構造情報部分補正部は、前記時間構造情報抽出部が抽出した時間構造情報のうち、所定のまとまりのある音響部分の時間構造情報である第一時間構造情報を取得する第一時間構造情報取得手段と、前記模範評定情報に基づく模範時間構造情報のうち、所定のまとまりのある音響部分の時間構造情報である第二時間構造情報を取得する第二時間構造情報取得手段を具備し、前記第二時間構造情報が規則的ではない場合に、当該第二時間構造情報に対応する第一時間構造情報の後半部は補正しないことを特徴とする音響出力装置である。
かかる構成により、少ない処理量で、人間の知覚に違和感がない、良好な音響を出力することができる。
【００１４】
また、本第十一の発明の音響評定装置は、第七の発明に対して、前記時間構造情報部分補正部は、前記時間構造情報抽出部が抽出した時間構造情報のうち、所定のまとまりのある音響部分の時間構造情報である第一時間構造情報を取得する第一時間構造情報取得手段と、前記模範評定情報に基づく模範時間構造情報のうち、所定のまとまりのある音響部分の時間構造情報である第二時間構造情報を取得する第二時間構造情報取得手段と、前記第二時間構造情報の前半部と前記第一時間構造情報前半部と比較し、前記第一時間構造情報の前半部の情報が示す時間情報が、対応する前記第二時間構造情報の前半部の情報が示す時間情報と比較して伸びていることを示す場合に、当該第一時間構造情報の該当部分を、前記第二時間構造情報に基づいて補正する前半伸長部分補正手段、および／または前記第二時間構造情報の後半部と前記第一時間構造情報後半部と比較し、前記第一時間構造情報の後半部の情報が示す時間情報が、対応する前記第二時間構造情報の後半部の情報が示す時間情報と比較して縮んでいることを示す場合に、当該第一時間構造情報の該当部分を、前記第二時間構造情報に基づいて補正する後半圧縮部分補正手段を具備する音響出力装置である。
かかる構成により、少ない処理量で、人間の知覚に違和感がない、良好な音響を出力することができる。
【００１５】
また、本第十二の発明の音響評定装置は、第七から第十一いずれかの発明に対して、前記時間構造情報抽出部が抽出した時間構造情報と、前記模範評定情報に基づく模範時間構造情報に基づいて前記音響の評定を行い、かつ所定のルールに基づいて前記音響の評定を行う評定部と、前記評定部における評定結果を出力する評定結果出力部をさらに具備する音響出力装置である。
かかる構成により、少ない処理量で、人間の知覚に違和感がない、良好な音響を出力することができ、かつ入力された音響の良し悪しを評価する場合に、人間の知覚に合致した態様で評価できる。
【発明の効果】
【００１６】
本発明による音響評定装置によれば、人間の知覚に合致した態様で、音響の良し悪しを評価できる。また、本発明による音響出力装置によれば、少ない処理量で、人間の知覚に違和感がない、良好な音響を出力することができる。
【発明を実施するための最良の形態】
【００１７】
以下、音響評定装置等の実施形態について図面を参照して説明する。なお、実施の形態において同じ符号を付した構成要素は同様の動作を行うので、再度の説明を省略する場合がある。
（実施の形態１）
図１は、本実施の形態における音響評定装置のブロック図である。
本音響評定装置は、音響受付部１０１、時間構造情報抽出部１０２、模範評定情報格納部１０３、評定部１０４、評定結果出力部１０５を具備する。
評定部１０４は、第一時間構造情報取得手段１０４１、第二時間構造情報取得手段１０４２、ルール格納手段１０４３、評定値算出手段１０４４を具備する。
【００１８】
音響受付部１０１は、音響の入力を受け付ける。音響とは、音声や楽音などである。楽音とは、楽器の演奏により出力される音である。音響受付部１０１は、例えば、マイクとそのドライバーソフト、またはマイクのドライバーソフト等により実現され得る。また、音響は、マイクだけではなく、磁気テープやＣＤ−ＲＯＭなどの記録媒体から読み出されても良い。
【００１９】
時間構造情報抽出部１０２は、音響受付部１０１が受け付けた音響から、当該音響の時間構造に関する情報である時間構造情報を抽出する。時間構造情報は、例えば、音響の大きさの１次微分値が所定の値以上の時点を示す情報である。また、時間構造情報は、例えば、ある周波数帯域の音の大きさの１次微分値が所定の値以上の時点を示す情報である。また、時間構造情報は、例えば、ある音素や、吹奏楽器の音、擦弦楽器の音の継続時間長を示す情報である。また、時間構造情報は、例えば、音響を構成する音素の開始時点を示す情報である。また、時間構造情報は、例えば、ある音素の開始時点を示す情報と、終了時点を示す情報である。時間構造情報の内容や構造は問わない。時間構造情報抽出部１０２は、通常、ＭＰＵやメモリ等から実現され得る。時間構造情報抽出部１０２の処理手順は、通常、ソフトウェアで実現され、当該ソフトウェアはＲＯＭ等の記録媒体に記録されている。但し、ハードウェア（専用回路）で実現しても良い。
【００２０】
模範評定情報格納部１０３は、音響の良し悪しを評定するための情報である模範評定情報を格納している。模範評定情報は、模範的な時間構造情報である模範時間構造情報と同じでも良いし、模範時間構造情報を取り出すための元になる情報でも良い。模範評定情報のデータ構造は問わない。模範評定情報格納部１０３は、不揮発性の記録媒体が好適であるが、揮発性の記録媒体でも実現可能である。不揮発性の記録媒体でも、揮発性の記録媒体でも良い。模範評定情報格納部１０３は、音響が録音された磁気テープなどでも良い。
【００２１】
評定部１０４は、時間構造情報抽出部１０２が抽出した時間構造情報と模範評定情報格納部１０３の模範評定情報に基づく模範時間構造情報に基づいて、音響受付部１０１が受け付けた音響の評定を行い、かつ所定のルールに基づいて音響の評定を行う。所定のルールは、評価部分の特性によって、重み付けをして評価するルールであることが好適である。評定部１０４は、模範評定情報から、何らかの処理を行うことにより模範時間構造情報を算出しても良いし、模範評定情報と模範時間構造情報が同じ情報である場合には、模範時間構造情報を読み出すだけでも良い。評定部１０４は、通常、ＭＰＵやメモリ等から実現され得る。評定部１０４の処理手順は、通常、ソフトウェアで実現され、当該ソフトウェアはＲＯＭ等の記録媒体に記録されている。但し、ハードウェア（専用回路）で実現しても良い。
【００２２】
第一時間構造情報取得手段１０４１は、時間構造情報抽出部１０２が抽出した時間構造情報のうち、所定のまとまりのある音響部分の時間構造情報である第一時間構造情報を取得する。所定のまとまりのある音響部分とは、例えば、所定の時間分の音響部分である。また、所定のまとまりのある音響部分とは、例えば、言語的な切れ目から言語的な切れ目までの間の音響部分である。かかる音響部分は、例えば、一文節である。また、所定のまとまりのある音響部分とは、例えば、音楽的な切れ目から音楽的な切れ目までの間の音響部分である。かかる音響部分は、例えば、一フレーズである。また、所定のまとまりのある音響部分とは、例えば、音声や音楽などのように、明示的な息継ぎの箇所が存在する場合は、息継ぎから息継ぎまでの部分である。また、所定のまとまりのある音響部分とは、例えば、音声や音楽などのように、明示的な休止の箇所が存在する場合は、休止から休止までの部分である。また、所定のまとまりのある音響部分とは、例えば、音の大きさが急激に増加する時点を切れ目にして、取得されても良い。音の大きさが急激に増加する時点は、例えば、音の大きさの１次微分値が所定の値以上の時点である。また、音の大きさが急激に増加する時点は、例えば、ある周波数帯域の音の大きさの１次微分値が所定の値以上の時点である。また、所定のまとまりのある音響部分とは、例えば、ある音素が所定時間以上、持続する場合における当該音素の発音区間である。また、所定のまとまりのある音響部分とは、例えば、吹奏楽器や擦弦楽器の所定の音が所定時間以上、持続する場合における当該音の出力区間である。第一時間構造情報取得手段１０４１は、通常、ＭＰＵやメモリ等から実現され得る。第一時間構造情報取得手段の処理手順は、通常、ソフトウェアで実現され、当該ソフトウェアはＲＯＭ等の記録媒体に記録されている。但し、ハードウェア（専用回路）で実現しても良い。
【００２３】
第二時間構造情報取得手段１０４２は、模範評定情報に基づく模範時間構造情報のうち、所定のまとまりのある音響部分の時間構造情報である第二時間構造情報を取得する。第二時間構造情報取得手段１０４２は、通常、ＭＰＵやメモリ等から実現され得る。第二時間構造情報取得手段の処理手順は、通常、ソフトウェアで実現され、当該ソフトウェアはＲＯＭ等の記録媒体に記録されている。但し、ハードウェア（専用回路）で実現しても良い。
【００２４】
ルール格納手段１０４３は、ここでは、受け付けた音響を評価する際に、音響の箇所によって重みを付けて評価するための種々のルールを格納している。ここでのルールには、前半部強調評価ルール、規則強調ルール、前半伸長強調ルール、および後半圧縮強調ルールがある。前半部強調評価ルールは、第一時間構造情報のうちの前半部の情報の評価値を、後半部の情報の評価値より重く評価することを示すルールである。規則強調ルールは、第二時間構造情報が規則的であることを示す情報である場合で、かつ当該第二時間構造情報に対応する第一時間構造情報と、当該第二時間構造情報にずれが存在する場合に、当該ずれを他のずれと比較して重く評価することを示すルールである。なお、規則強調ルールは、第二時間構造情報が不規則的であることを示す情報である場合で、かつ当該第二時間構造情報に対応する第一時間構造情報と、当該第二時間構造情報にずれが存在する場合に、当該ずれを他のずれと比較して軽く評価することを示すルールでもある。前半伸長強調ルールは、第二時間構造情報の前半部と第一時間構造情報の前半部と比較し、第一時間構造情報の前半部の情報が示す時間情報が、対応する第二時間構造情報の前半部の情報が示す時間情報と比較して伸張していることを示す場合に、当該伸張している部分のずれを、他のずれと比較して重く評価することを示すルールである。後半圧縮強調ルールは、第二時間構造情報の後半部と第一時間構造情報の後半部と比較し、第一時間構造情報の後半部の情報が示す時間情報が、対応する第二時間構造情報の後半部の情報が示す時間情報と比較して縮んでいることを示す場合に、当該縮んでいる部分のずれを、他のずれと比較して重く評価することを示すルールである。前半部強調評価ルール、規則強調ルール、前半伸長強調ルール、および後半圧縮強調ルールの構造は問わない。また、如何に重み付けするかも問わない。ルール格納手段１０４３は、不揮発性の記録媒体が好適であるが、揮発性の記録媒体でも実現可能である。不揮発性の記録媒体でも、揮発性の記録媒体でも良い。なお、「時間構造情報が規則的である」とは、時間構造情報が示す音の出力が等拍の出力である場合だけではなく、リズムが序々に速くなっていく場合、序々に遅くなっていく場合も含んでも良い。また、「時間構造情報が規則的である」とは、時間構造情報が示す音の出力が概ね等拍であるが、一部の拍の欠損がある場合も含んでも良い。
【００２５】
評定値算出手段１０４４は、第一時間構造情報と第二時間構造情報を比較し、ルール格納手段１０４３に格納されているルールに基づいて評定値を算出する。評定値算出手段１０４４は、通常、ＭＰＵやメモリ等から実現され得る。評定値算出手段１０４４の処理手順は、通常、ソフトウェアで実現され、当該ソフトウェアはＲＯＭ等の記録媒体に記録されている。但し、ハードウェア（専用回路）で実現しても良い。
【００２６】
評定結果出力部１０５は、評定部１０４における評定結果を出力する。評定結果の出力態様は種々ある。評定結果の出力態様の例は、後述する。ここで、出力とは、ディスプレイへの表示、プリンタへの印字、音出力、外部の装置への送信等を含む概念である。評定結果出力部１０５は、ディスプレイやスピーカー等の出力デバイスを含むと考えても含まないと考えても良い。評定結果出力部１０５は、出力デバイスのドライバーソフトまたは、出力デバイスのドライバーソフトと出力デバイス等で実現され得る。
次に、音響評定装置の動作について図２から図４のフローチャートを用いて説明する。
（ステップＳ２０１）音響受付部１０１は、音響を受け付けたか否かを判断する。音響を受け付ければステップＳ２０２に行き、音響を受け付けなければステップＳ２０８に行く。
（ステップＳ２０２）時間構造情報抽出部１０２は、カウンタｉに１を代入する。
【００２７】
（ステップＳ２０３）時間構造情報抽出部１０２は、ｉ番目の一まとまりの音響部分が存在するか否かを判断する。ｉ番目の一まとまりの音響部分が存在すればステップＳ２０４に行き、ｉ番目の一まとまりの音響部分が存在しなければステップＳ２０１に戻る。
（ステップＳ２０４）時間構造情報抽出部１０２は、ｉ番目の一まとまりの音響部分の時間構造情報を取得する。時間構造情報取得処理の例は、図３のフローチャートを用いて説明する。
（ステップＳ２０５）評定部１０４は、ｉ番目の一まとまりの音響部分に対して評定を行う。評定処理の例は、図４のフローチャートを用いて説明する。
（ステップＳ２０６）評定結果出力部１０５は、ｉ番目の一まとまりの音響部分の評定結果を出力する。
（ステップＳ２０７）時間構造情報抽出部１０２は、カウンタｉを１、インクリメントする。ステップＳ２０３に戻る。
（ステップＳ２０８）音響受付部１０１は、音響の受け付けが終了したか否かを判断する。音響の受け付けが終了すればステップＳ２０９に行き、音響の受け付けが終了しなければステップＳ２０１に戻る。
【００２８】
（ステップＳ２０９）評定部１０４は、一まとまりの音響部分の全評定値から、総合点を算出する。総合点の算出式は問わない。評定部１０４は、例えば、一まとまりの音響部分の全評定値の平均点を総合点とする。また、評定部１０４は、例えば、一まとまりの音響部分の全評定値の合計点を総合点とする。
（ステップＳ２１０）評定結果出力部１０５は、ステップＳ２０９で算出した総合点を出力する。処理を終了する。
なお、図２のフローチャートにおいて、総合点の出力は、必須の処理ではない。また、図２のフローチャートにおいて、各音響部分の点数の出力が必須ではない。総合点の出力だけでも良い。
次に、音響評定装置における時間構造情報取得の処理について図３のフローチャートを用いて説明する。
（ステップＳ３０１）時間構造情報抽出部１０２は、カウンタｉに１を代入する。
【００２９】
（ステップＳ３０２）時間構造情報抽出部１０２は、ｉ番目の処理単位が存在するか否かを判断する。処理単位とは、事象を検出するための音響処理の長さの単位である。ここで、事象とは、人間がテンポを認識するための所定の変化であり、音響中に生起する所定の変化である。具体的には、事象とは、音の大きさが急激に変化すること、ある周波数帯域の音のエネルギーが急激に変化することなどである。なお、事象の検出方法については、実施の形態３で説明する。
（ステップＳ３０３）時間構造情報抽出部１０２は、一まとまりの音響部分のｉ番目の処理単位の音響に対して、人間の聴感特性を反映したバンドパスフィルタ処理を行う。
（ステップＳ３０４）時間構造情報抽出部１０２は、ステップＳ３０３におけるバンドパスフィルタ処理の出力信号に対して、バンド幅が中心周波数の単調増加関数として増加するような帯域分割を行う。
（ステップＳ３０５）時間構造情報抽出部１０２は、カウンタｊに１を代入する。
【００３０】
（ステップＳ３０６）時間構造情報抽出部１０２は、ステップＳ３０４で分割した周波数帯域のうち、ｊ番目の帯域が存在するか否かを判断する。ｊ番目の帯域が存在すればステップＳ３０７に行き、ｊ番目の帯域が存在しなければステップＳ３１０に行く。
（ステップＳ３０７）時間構造情報抽出部１０２は、ｊ番目の帯域におけるフィルタ・チャネル信号の活性量の変化率を取得する。
【００３１】
（ステップＳ３０８）時間構造情報抽出部１０２は、ステップＳ３０７で取得した変化率が所定の値以上であるか否かを判断する。所定の値以上であればステップＳ３０９に行き、所定の値未満であればステップＳ３１１に行く。
（ステップＳ３０９）時間構造情報抽出部１０２は、一まとまりの音響部分のｉ番目の処理単位に対応する時点（ｔ）を取得し、一時格納する。
（ステップＳ３１０）時間構造情報抽出部１０２は、カウンタｉを１、インクリメントする。ステップＳ３０２に戻る。
（ステップＳ３１１）時間構造情報抽出部１０２は、カウンタｊを１、インクリメントする。ステップＳ３０６に戻る。
次に、音響評定装置の評定処理の動作について図４のフローチャートを用いて説明する。
（ステップＳ４０１）第一時間構造情報取得手段１０４１は、時間構造情報抽出部１０２が抽出した時間構造情報の中の、評定対象の音響部分の時間構造情報を取得する。
【００３２】
（ステップＳ４０２）第二時間構造情報取得手段１０４２は、模範評定情報格納部１０３の模範評定情報に基づく模範時間構造情報の中の、評定対象の音響部分の模範時間構造情報を取得する。第二時間構造情報取得手段１０４２は、例えば、図３のフローチャートで説明した時間構造情報取得処理により、模範評定情報から模範時間構造情報を取得する。また、模範評定情報が時間構造情報の集合である場合、第二時間構造情報取得手段１０４２は、評定対象の音響部分の模範時間構造情報を取得する。
【００３３】
（ステップＳ４０３）評定値算出手段１０４４は、ステップＳ４０２で取得した評定対象の音響部分の模範時間構造情報に基づいて、模範時間構造情報が等拍などの規則性を有する時間構造の情報であるか否かを判断する。なお、評定値算出手段１０４４は、本判断の結果を一時格納しておく、とする。
（ステップＳ４０４）評定値算出手段１０４４は、カウンタｉに１を代入する。
【００３４】
（ステップＳ４０５）評定値算出手段１０４４は、ステップＳ４０１で取得した時間構造情報の中でｉ番目の時間構造情報が存在するか否かを判断する。ｉ番目の時間構造情報が存在すればステップＳ４０６に行き、ｉ番目の時間構造情報が存在しなければステップＳ４１７に行く。
（ステップＳ４０６）評定値算出手段１０４４は、ステップＳ４０１で取得した時間構造情報の中のｉ番目の時間構造情報と、ｉ番目の模範時間構造情報の差（時間の差）を算出する。
【００３５】
（ステップＳ４０７）評定値算出手段１０４４は、ステップＳ４０３で一時格納した判断結果が規則的であるとの判断結果であるか否かを判断する。規則的である場合はステップＳ４０８に行き、規則的でない場合はステップＳ４０９に飛ぶ。
（ステップＳ４０８）評定値算出手段１０４４は、ステップＳ４０６で取得した値（ここで「ｘ」とする）に対して、所定の重み付け処理（例えば「１．４ｘ」を算出）を行う。
【００３６】
（ステップＳ４０９）評定値算出手段１０４４は、一まとまりの音響部分の中で、ｉ番目の時間構造情報に対応する時点が、前半部であるか否かを判断する。前半部であればステップＳ４１０に行き、前半部でなければステップＳ４１３に行く。なお、いずれの範囲を前半部であるとするかは問わない。
（ステップＳ４１０）評定値算出手段１０４４は、ステップＳ４０６で取得した値またはステップＳ４０８で取得した値（ここで「ｙ」とする）に対して、所定の重み付け処理（例えば「１．５ｙ」を算出）を行う。
【００３７】
（ステップＳ４１１）評定値算出手段１０４４は、模範時間構造情報が示す時間間隔に対して、評定対象の音響部分の時間構造情報が、時間的に伸長しているか否かを判断する。伸長していればステップＳ４１２に行き、伸長していなければステップＳ４１６に行く。
（ステップＳ４１２）評定値算出手段１０４４は、今までの処理で取得した値（ここで「ｚ」とする）に対して、所定の重み付け処理（例えば「１．１ｚ」を算出）を行う。
【００３８】
（ステップＳ４１３）評定値算出手段１０４４は、一まとまりの音響部分の中で、ｉ番目の時間構造情報に対応する時点が、後半部であるか否かを判断する。後半部であればステップＳ４１２に行き、後半部でなければステップＳ４１６に行く。なお、いずれの範囲を後半部であるとするかは問わない。
【００３９】
（ステップＳ４１４）評定値算出手段１０４４は、模範時間構造情報が示す時間間隔に対して、評定対象の音響部分の時間構造情報が、時間的に圧縮しているか否かを判断する。圧縮していればステップＳ４１５に行き、圧縮していなければステップＳ４１６に行く。
（ステップＳ４１５）評定値算出手段１０４４は、今までの処理で取得した値（ここで「ｚ」とする）に対して、所定の重み付け処理（例えば「１．１ｚ」を算出）を行う。
（ステップＳ４１６）評定値算出手段１０４４は、カウンタｉを１、インクリメントする。
（ステップＳ４１７）評定値算出手段１０４４は、今まで算出した全評定値に基づいて、一まとまりの音響部分の総合評定値を算出する。総合評定値を算出する演算式は問わない。
以下、本実施の形態における音響評定装置の具体的な動作について説明する。
【００４０】
まず、音響評定装置の音響受付部１０１は、音響を受け付ける。次に、時間構造情報抽出部１０２は、音響受付部１０１が受け付けた音響のうち、一まとまりの音響部分（例えば、１５００ｍｓの時間幅の音響部分）を取得する。
【００４１】
次に、時間構造情報抽出部１０２は、一まとまりの音響部分の時間構造情報を、以下のようにして取得する。つまり、時間構造情報抽出部１０２は、まず、事象を検出する。事象の検出方法の例は、実施の形態３で説明する。なお、事象とは、音の大きさが急激に変化すること、ある周波数帯域の音のエネルギーが急激に変化することなどである。時間構造情報抽出部１０２は、検出した事象の時点（ｔ）を取得し、一時格納する。かかる時点（ｔ）の集合が時間構造情報である。なお、時間構造情報抽出部１０２が時点（ｔ）の取得をした場合に、時間構造情報抽出部１０２または図示しない他の手段が、当該事象に対応する音の強度を取得しても良い。
【００４２】
次に、第二時間構造情報取得手段１０４２は、上記一まとまりの音響部分に対応する模範の音響部分の模範時間構造情報を取得する。第二時間構造情報取得手段１０４２は、模範評定情報格納部１０３の模範評定情報から、かかる模範時間構造情報を取得する。
次に、評定値算出手段１０４４は、模範時間構造情報に基づいて、模範時間構造情報が等拍などの規則性を有する時間構造の情報であるか否かを判断する。
次に、評定値算出手段１０４４は、時間構造情報と、模範時間構造情報の差（時間の差）を算出する。ここで、時間の差を算出する方法はいくつかある。
【００４３】
時間構造情報と模範時間構造情報の差の第一の算出方法について、図５を用いて説明する。図５（ａ）は、試験音響（Ｘ）の中で検出された事象を示す。図５（ａ）において、横軸は時間（単位：ｍｓ）、縦軸は音の強さ（単位：ｄＢ  ＳＰＬ）を示す。図５（ａ）において、横軸は１５００ｍｓまでの長さである。図５（ａ）において、各事象は、Ｔ（１）、Ｔ（２）、・・・Ｔ（ｎ）の時点（ｔ）において認識されている。なお、試験音響（Ｘ）は、音響受付部１０３が受け付けた音響である。
【００４４】
次に、模範の音響である標準音響（Ｒ）を図５（ｂ）に示す。図５（ａ）は、図５（ｂ）と比較して、事象の発生時点（ｔ）が、Ｔ（２）以降、ずれている。かかるずれを誤差量と呼ぶ。試験音響（Ｘ）と標準音響（Ｒ）の誤差量を、図５（ｃ）に示す。図５（ｃ）において、横軸は事象の個数（番号）を示し、縦軸は誤差量（ｍｓ）を示す。ここでは、試験音響（Ｘ）の事象の時点が標準音響（Ｒ）の事象の時点と比較して遅れている場合に、誤差量は正の数値となる。つまり、「誤差量Ｅ（ｉ）＝ＴＸ（ｉ）−ＴＲ（ｉ）」である。なお、第一の算出方法において、評定値算出手段１０４４は、誤差量を、時間長（ｍｓ）ではなく、平均的な拍間隔に対する比（％）などで算出しても良い。つまり、「誤差量Ｅ（ｉ）＝（（ＴＸ（ｉ）−ＴＲ（ｉ））／（（ＴＲ（ｎ）−ＴＲ（１））／（ｎ−１）））×１００」でも良い。
【００４５】
次に、時間構造情報と模範時間構造情報の差の第二の算出方法について、図６を用いて説明する。図６（ａ）において、試験音響（Ｘ）の各事象は、Ｔ（１）、Ｔ（２）、・・・Ｔ（ｎ）の時点（ｔ）において認識されている。また、模範の音響である標準音響（Ｒ）は図６（ｂ）である。そして、試験音響（Ｘ）と標準音響（Ｒ）の誤差量を、図６（ｃ）に示す。図６（ｃ）において、評定値算出手段１０４４は、試験音響（Ｘ）の２音（２事象）の間隔の標準音響の対応する２音の間隔に対する時間長の差から誤差量を算出する。なお、第二の算出方法において、誤差量の算出をする場合に、評定値算出手段１０４４は、隣接音間の間隔を対象としたが，これと並行して，より広い間隔（１個とばし，…ｎ個とばし）を対象としても良い。これは、特に、各音間に強さの違いがある場合に有効である。時間的に多少隔たっていても，２つの強い音の間隔をピックアップするような機能が人間には備わっているおり、かかる人間の知覚に合致した音響の評定が可能となる。英語のリズムがストレス（特に強い音節）間の時間間隔で担われていることなどが、上記の処理が人間の知覚と合致していることを知らしめる例である。
以上の処理により、評定値算出手段１０４４は、音響受付部が受け付けた音響のなかの一まとまりの音響の時間構造情報と、模範時間構造情報の差（時間の差）を算出した。
次に、評定値算出手段１０４４は、以下のルールにより、各種の重み付けを行う。
【００４６】
第一の重み付けの例を、図７を用いて説明する。第一の重み付けの例は、前半部強調評価ルールを用いた重み付けである。前半部強調評価ルールとは、第一時間構造情報のうちの前半部の情報の評価値を、後半部の情報の評価値より重く評価することを示すルールである。具体的には、前半部強調評価ルールは、図７（ｂ）に示す重み関数である。つまり、まず、評定値算出手段１０４４は、図７（ａ）に示す誤差量（Ｅ（ｉ））を算出した、とする。かかる誤差量の算出は上述した方法の通りである。そして、次に、評定値算出手段１０４４は、図７（ｂ）の重み関数に従って、算出した誤差量に重みを乗じ、評定値を算出する。
【００４７】
第二の重み付けの例を、図８を用いて説明する。第二の重み付けの例は、規則強調ルールを用いた重み付けである。規則強調ルールは、第二時間構造情報が規則的であることを示す情報である場合で、当該第二時間構造情報に対応する第一時間構造情報と、当該第二時間構造情報にずれが存在する場合に、当該ずれを他のずれと比較して重く評価することを示すルールである。具体的には、第二時間構造情報取得手段１０４２が、第二時間構造情報として、図８（ａ）に示す標準音響（Ｒ１）の第二時間構造情報を取得したとする。かかる第二時間構造情報は、等拍を示す時間構造情報である。したがって、評定値算出手段１０４４は、第二時間構造情報が規則性を有する時間構造の情報である、と判断する。かかる場合、評定値算出手段１０４４は、受け付けた時間構造情報と、それに対応する模範時間構造情報の差（時間の差）を算出する。そして、次に、評定値算出手段１０４４は、図８（ｃ）の８１の重み関数に基づいて、算出した時間の差に重みを乗じる。つまり、評定値算出手段１０４４は、第二時間構造情報が規則性を有する時間構造の情報である場合であり、かつ一まとまりの音響の前半部のずれは重く評価する。なお、図８（ｃ）の８１の重み関数によれば、評定値算出手段１０４４は、第二時間構造情報が規則性を有する時間構造の情報である場合であっても、一まとまりの音響の後半部のずれは軽く評価している。
【００４８】
さらに、第二時間構造情報取得手段１０４２が、第二時間構造情報として、図８（ｂ）に示す標準音響（Ｒ２）の第二時間構造情報を取得したとする。かかる第二時間構造情報は、規則性のない時間構造情報である。かかる場合、評定値算出手段１０４４は、受け付けた時間構造情報と、それに対応する模範時間構造情報の差（時間の差）を算出する。そして、次に、評定値算出手段１０４４は、図８（ｃ）の８２の重み関数に基づいて、算出した時間の差に重みを乗じる。つまり、評定値算出手段１０４４は、第二時間構造情報が不規則性を有する時間構造の情報である場合であっても、一まとまりの音響の前半部のずれは若干重く評価する。ここで、若干とは、第二時間構造情報が規則性を有する時間構造の情報である場合と比較すれば、軽く評価する、という意味である。また、評定値算出手段１０４４は、第二時間構造情報が不規則性を有する時間構造の情報である場合であって、一まとまりの音響の後半部のずれは、非常に軽く評価する。
【００４９】
かかる評価の軽重は、人間の知覚に極めて合致している。つまり、標準音響（第二時間構造情報に対応する音響）が規則正しくない場合（Ｒ２）は、規則正しい場合（Ｒ１）に比べて、人間のずれに対する感覚は敏感でなくなる。したがって、一般にＲ２はＲ１に比べて知覚的重みは小さくなる。さらに、ずれが発生している位置（音響の箇所）の影響はより顕著になる（重み関数のダイナミックレンジが広がる）。したがって、Ｒ２はＲ１に比べて後半部、特に末尾における重みが非常に小さくなる。つまり、音響の前半部のずれの評価の度合いは、より重くなる。
また、前半伸長強調ルール、および後半圧縮強調ルールの適用についても同様である。つまり、前半伸長強調ルール、および後半圧縮強調ルールは、例えば、上記のような重み関数である。
【００５０】
上記のように、評定値算出手段１０４４は、評定値の算出を受け付けた音響のすべてについて完了する。そして、図２のフローチャートを用いて説明したように、すべての区間についての評定の完了まで、評定結果出力部１０５は、一まとまりの音響部分に対する評定値を出力する。評定結果の出力態様は問わない。出力態様の例は、後述する。また、すべての区間についての評定の完了した後、図２のフローチャートのステップＳ２０９、Ｓ２１０の処理、つまり、評定結果出力部１０５は、総合点の算出、出力処理を実行することが好適である。なお、評定結果出力部１０５は、総合点の出力のみ行っても良いし、一まとまりの音響部分に対する評定値を出力するだけでも良いし、両方の出力を行っても良い。
【００５１】
さらに、具体的な音響評定装置の評定処理の第一の例について説明する。今、例えば、アメリカ人の学習者が、日本語の練習をしている。そして、学習者は、音響「とっくみあいはゆうがたまでつづいた」と発音した、とする。本音響評定装置は、この発音が日本語の発音として良いか否かを定量的に算出して、出力するものとする。
本音響評定装置の模範評定情報格納部１０３は、模範的な日本語の発音の「とっくみあいはゆうがたまでつづいた」の音情報である模範評定情報を格納している、とする。
そして、音響受付部１０１は、学習者が発声した音響「とっくみあいはゆうがたまでつづいた」を受け付ける。
【００５２】
次に、時間構造情報抽出部１０２は、音響受付部１０１が受け付けた音響の時間構造情報を取得する。つまり、時間構造情報抽出部１０２は、図９に示す時間構造情報を取得する。図９の時間構造情報を示す表は、「音韻」「時間（ｍｓ）」を有するレコードからなる。つまり、時間構造情報抽出部１０２が取得する時間構造情報は、音韻毎の時間の長さである。
【００５３】
次に、第一時間構造情報取得手段１０４１は、図９の音響情報から、一まとまりの音響部分である最初の文節の音響「とっくみあいは」の時間構造情報を取得する。第一時間構造情報取得手段１０４１が取得した時間構造情報は、図１０である。
【００５４】
次に、第一時間構造情報取得手段１０４１は、ここでは、模範評定情報格納部１０３の模範評定情報の対応箇所「とっくみあいは」の音響の全体長と、音響受付部１０１が受け付けた音響部分「とっくみあいは」の全体長を合わせるため、図１０の時間構造情報を正規化する。そして、時間構造情報抽出部１０２は、図１１の時間構造情報の「正規化後」を取得する。「正規化後」の属性値は、正規化した時間（ｍｓ）である。
【００５５】
次に、第二時間構造情報取得手段１０４２は、模範評定情報に基づく模範時間構造情報のうち、音響「とっくみあいは」に対応する時間構造情報である第二時間構造情報を取得する。つまり、第二時間構造情報取得手段１０４２は、図１２に示す第二時間構造情報を取得する。図１２は、「音韻」「時間（ｍｓ）」を有するレコードを１以上有する。
【００５６】
次に、評定値算出手段１０４４は、第一時間構造情報と第二時間構造情報を比較し、各音韻の時間長の差を取得する。かかる差異が、図１３の表の「差異（絶対値）」である。この属性値「差異（絶対値）」が示す値は、音韻ごとの第一時間構造情報と第二時間構造情報の時間の差の絶対値である。
【００５７】
次に、評定値算出手段１０４４は、前半部強調評価ルールに基づいて、図１３の表の「差異（絶対値）」の値に、重み付けを行う。重み付けの「重み」は、図１４の属性値「重み」である。かかる属性値「重み」は、前半部強調評価ルールとして、ルール格納手段１０４３に格納されている。なお、前半部強調評価ルールは、図１４の属性値「重み」のようなデータの集合ではなく、例えば、「文節の前半２音韻の評定値は、１．２倍、後半２音節の評定値は０．８倍」などのルールを示す情報でも良い。
そして、評定値算出手段１０４４は、先に算出した「差異（絶対値）」に、対応する「重み」の値を乗じて、最終的な評定値を算出する。最終的な評定値とは、ここでは、音韻ごとの評定値である。
そして、評定値算出手段１０４４は、図１４の属性値「評定値」を得る。なお、評定値は、大きな数字ほど、音響の評価が良くないことを示す。
そして、評定結果出力部１０５は、例えば、音韻ごとの評定値を出力する。
次に、音響評定装置は、上記の処理を文節ごとに繰り返し、図１５の表を得る。
そして、評定値算出手段１０４４は、音韻ごとの評定値に基づいて、１００点満点の点数（例えば、「５８点」）を算出する。なお、音韻ごとの評定値に基づいて、１００点満点の点数を算出する演算式は問わない。
そして、評定値算出手段１０４４は、総合点を出力する。評定値算出手段１０４４の出力例を図１６に示す。図１６において、学習者の音響の基本周波数や、発音内容や、点数が出力されている。
以上、本実施の形態によれば、本音響評定装置は、音響の良し悪しの評価を行う場合に、人間の知覚に合致した評価ができる。
【００５８】
なお、本実施の形態によれば、ルール格納手段１０４３のルールは、上述したルールに限らない。つまり、人間の知覚に重要な影響を及ぼす音響の箇所を、他の箇所と比較して重く評価するようなルールであれば良い。また、人間の知覚に重要な影響を及ぼさない音響の箇所を、他の箇所と比較して軽く評価するようなルールであれば良い。
【００５９】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置を実現するソフトウェアは、以下のようなプログラムである。つまり、このプログラムは、コンピュータに、音響を受け付ける音響受付ステップと、前記音響受付ステップで受け付けた音響から、当該音響の時間構造に関する情報である時間構造情報を抽出する時間構造情報抽出ステップと、前記時間構造情報抽出ステップで抽出した時間構造情報と格納されている模範評定情報に基づく模範時間構造情報に基づいて前記音響の評定を行い、かつ所定のルールに基づいて前記音響の評定を行う評定ステップと、前記評定ステップにおける評定結果を出力する評定結果出力ステップを実行させるためのプログラム、である。
【００６０】
また、上記プログラムに対して、前記所定のルールは、前記第一時間構造情報のうちの前半部の情報の評価値を、後半部の情報の評価値より重く評価することを示すルールである前半部強調評価ルールであり、前記評定ステップは、前記時間構造情報抽出ステップで抽出した時間構造情報のうち、所定のまとまりのある音響部分の時間構造情報である第一時間構造情報を取得する第一時間構造情報取得ステップと、前記模範評定情報に基づく模範時間構造情報のうち、所定のまとまりのある音響部分の時間構造情報である第二時間構造情報を取得する第二時間構造情報取得ステップと、前記第一時間構造情報と前記第二時間構造情報を比較し、前記前半部強調評価ルールに基づいて評定値を算出する評定値算出ステップを具備するプログラム、である。
【００６１】
また、上記プログラムに対して、前記所定のルールは、前記第二時間構造情報が規則的であることを示す情報であり、当該第二時間構造情報に対応する第一時間構造情報と、当該第二時間構造情報にずれが存在する場合に、当該ずれを他のずれと比較して重く評価することを示すルールである規則強調ルールであり、前記評定ステップは、前記時間構造情報抽出ステップで抽出した時間構造情報のうち、所定のまとまりのある音響部分の時間構造情報である第一時間構造情報を取得する第一時間構造情報取得ステップと、前記模範評定情報に基づく模範時間構造情報のうち、所定のまとまりのある音響部分の時間構造情報である第二時間構造情報を取得する第二時間構造情報取得ステップと、前記第一時間構造情報と前記第二時間構造情報を比較し、前記規則強調ルールに基づいて評定値を算出する評定値算出ステップを具備するプログラム、である。
【００６２】
また、上記プログラムに対して、前記所定のルールは、前記第二時間構造情報が示す拍が規則的でなく、かつ当該第二時間構造情報に対応する第一時間構造情報の後半部と、当該第二時間構造情報の後半部にずれが存在する場合に、当該ずれを他のずれと比較して軽く評価することを示すルールである不規則後半部非強調ルールであり、前記評定ステップは、前記時間構造情報抽出ステップで抽出した時間構造情報のうち、所定のまとまりのある音響部分の時間構造情報である第一時間構造情報を取得する第一時間構造情報取得ステップと、前記模範評定情報に基づく模範時間構造情報のうち、所定のまとまりのある音響部分の時間構造情報である第二時間構造情報を取得する第二時間構造情報取得ステップと、前記第一時間構造情報と前記第二時間構造情報を比較し、前記不規則後半部非強調ルールに基づいて評定値を算出する評定値算出ステップを具備するプログラム、である。
【００６３】
また、上記プログラムに対して、前記所定のルールは、前記第二時間構造情報の前半部と前記第一時間構造情報の前半部と比較し、前記第一時間構造情報の前半部の情報が示す時間情報が、対応する前記第二時間構造情報の前半部の情報が示す時間情報と比較して伸びていることを示す場合に、当該伸びている部分のずれを、他のずれと比較して重く評価することを示すルールである前半伸長強調ルールと、前記第二時間構造情報の後半部と前記第一時間構造情報の後半部と比較し、前記第一時間構造情報の後半部の情報が示す時間情報が、対応する前記第二時間構造情報の後半部の情報が示す時間情報と比較して縮んでいることを示す場合に、当該縮んでいる部分のずれを、他のずれと比較して重く評価することを示すルールである後半圧縮強調ルールであり、前記評定ステップは、前記時間構造情報抽出ステップで抽出した時間構造情報のうち、所定のまとまりのある音響部分の時間構造情報である第一時間構造情報を取得する第一時間構造情報取得ステップと、前記模範評定情報に基づく模範時間構造情報のうち、所定のまとまりのある音響部分の時間構造情報である第二時間構造情報を取得する第二時間構造情報取得ステップと、前記第一時間構造情報と前記第二時間構造情報を比較し、前記前半伸長強調ルールと前記後半圧縮強調ルールに基づいて評定値を算出する評定値算出ステップを具備するプログラム、である。
（実施の形態２）
本実施の形態において、音の大きさが時間構造のずれの評価に影響を及ぼすルールである音強度強調ルールを適用した音響の評定処理を、音響評定装置が行う場合について説明する。
図１７は、本実施の形態における音響評定装置のブロック図である。
本音響評定装置は、音響受付部１０１、時間構造情報抽出部１０２、模範評定情報格納部１０３、評定部１７０４、評定結果出力部１０５を具備する。
評定部１７０４は、第一時間構造情報取得手段１０４１、第二時間構造情報取得手段１０４２、ルール格納手段１０４３、評定値算出手段１７０４４、音強度取得手段１７０４１を具備する。
【００６４】
音強度取得手段１７０４１は、模範評定情報に基づく音の強さを示す情報である音強度、または／および音響受付部１０１が受け付けた音響の音強度を取得する。かかる場合、模範評定情報は、音強度を取得できる情報であれば何でも良い。模範評定情報は、例えば、音響である。また、模範評定情報は、例えば、時間構造情報と音強度の対からなる情報の集合である。音強度取得手段１７０４１は、通常、ＭＰＵやメモリ等から実現され得る。音強度取得手段１７０４１の処理手順は、通常、ソフトウェアで実現され、当該ソフトウェアはＲＯＭ等の記録媒体に記録されている。但し、ハードウェア（専用回路）で実現しても良い。
【００６５】
評定値算出手段１７０４４は、第一時間構造情報と第二時間構造情報を比較し、ルール格納手段１０４３に格納されているルールに基づいて評定値を算出する。ただし、ここでルール格納手段１０４３に格納されているルールの一部が、実施の形態１におけるルールと異なるので、評定値算出手段１７０４４の動作は、若干、評定値算出手段１０４４と異なる。具体的には、評定値算出手段１７０４４は、音強度強調ルールに基づいて、音強度に規則性がない場合に、重み付け処理を行って、評定値を算出する点のみが、評定値算出手段１０４４と異なる。評定値算出手段１７０４４は、通常、ＭＰＵやメモリ等から実現され得る。評定値算出手段１７０４４の処理手順は、通常、ソフトウェアで実現され、当該ソフトウェアはＲＯＭ等の記録媒体に記録されている。但し、ハードウェア（専用回路）で実現しても良い。
【００６６】
ルール格納手段１０４３は、ここでは、上記の前半部強調評価ルール、規則強調ルール、前半伸長強調ルール、および後半圧縮強調ルール以外に、音強度強調ルールを格納している。音強度強調ルールは、音強度取得手段１７０４１が取得した２以上の音強度の値が異なる場合には、音強度に応じた重みが加味され、評定値が算出される、というルールである。つまり、本音強度強調ルールにおいて、音強度が強い音の時間的なずれは、重く評価される（低い点となる）。
【００６７】
次に、音響評定装置の動作について図１８のフローチャートを用いて説明する。図１８は、評定処理の動作を示すフローチャートである。本音響評定装置における評定処理以外の動作は、実施の形態１の音響評定装置の動作と同様であるので、その説明を省略する。また、図１８のフローチャートにおいて、図４のフローチャートと異なるステップのみ説明する。
【００６８】
（ステップ１８０１）音強度取得手段１７０４１は、評定対象の一まとまりの音響部分の音強度を取得する。そして、評定値算出手段１７０４４は、音強度に規則性があるか否かを判断する。ここで言う規則性があるとは、例えば、すべての音強度が一致していることである。
【００６９】
（ステップ１８０２）評定値算出手段１７０４４は、ステップ１８０１における判断が、規則性が無いとの判断か否かを判断する。不規則であるとの判断である場合にステップ１８０３に行き、規則的であるとの判断の場合にステップＳ４０７に行く。
【００７０】
なお、図１８のフローチャートにおいて、音強度取得手段１７０４１は、模範評定情報に基づく音の強さを示す情報である音強度を取得したが、音響受付部１０１が受け付けた音響の音強度を取得し、かかる音強度を評価の重み付けに用いても良い。
【００７１】
（ステップ１８０３）評定値算出手段１７０４４は、ステップＳ４０６で算出した値（ここで「Ｗ」とする）に、重み付け処理（例えば、「Ｗ×音強度」を算出）を行う。なお、重み付け処理は、「Ｗ＋（ＬＲ（ｉ）−ｍｅａｎ（ＬＲ））／ｍｅａｎ（ＬＲ）」でも良い。ただし、ＬＲ（ｉ）は、ｉ番目の第二時間構造情報の時点に対応する音強度であり、ｍｅａｎ（ＬＲ）は、一まとまりの音響部分の全音強度の平均値である。
以下、本実施の形態における音響評定装置が評定値を算出する場合に適用する音強度強調ルールの概念について説明する。
まず、図１９を用いて、音強度取得手段１７０４１が音強度を取得する方法について説明する。音が途中で切れることなく続いている場合の音強度の取得方法は、例えば、図１９（ａ）、（ｂ）の２つの方法がある。
図１９（ａ）においては、音が途中で切れることなく続いている場合は、各音の代表的な強さを音強度（上記のＬＲ（ｉ））とする方法である。
図１９（ｂ）においては、音が途中で切れることなく続いている場合は、隣接する２音の代表値の差の絶対値を音強度とする方法である。
なお、系列内の構成音が独立している場合は個別の大きさをそのまま音強度として採用する。
【００７２】
次に、評定値算出手段１７０４４は、音強度に規則性があるか否かを判断する。例えば、模範評定情報が図２０（ａ）に示す音響（標準音響（Ｒ１））の場合は、評定値算出手段１７０４４は、音強度に規則性があると判断する。また、模範評定情報が図２０（ｂ）に示す音響（標準音響（Ｒ３））の場合は、評定値算出手段１７０４４は、音強度に規則性がないと判断する。
次に、評定値算出手段１７０４４は、評価対象の時間構造情報と、模範時間構造情報の差（時間の差）を算出する。ここで、この差を「Ｗ」とする。
【００７３】
そして、評定値算出手段１７０４４は、音強度に規則性があると判断した場合は、音強度に関する重み付け処理を行わない。一方、評定値算出手段１７０４４は、音強度に規則性がないと判断した場合、例えば、以下のような重み付け処理を行う。つまり、評定値算出手段１７０４４は、値「Ｗ」に各音の強さに応じた重みを加味する。例えば、評定値算出手段１７０４４は、「Ｗ２（ｉ）＝Ｗ（ｉ）＋（ＬＲ（ｉ）−ｍｅａｎ（ＬＲ））／ｍｅａｎ（ＬＲ）」ただし、「ｍｅａｎ（ＬＲ）＝（ΣＬＲ（ｉ））／ｎ」と、新たな、現時点での評定値（Ｗ２）を算出する。
そして、その後、評定値算出手段１７０４４は、実施の形態１で述べたような前半部強調評価ルール、規則強調ルール、前半伸長強調ルール、および後半圧縮強調ルールも適用して、最終的な評定値を算出する。
【００７４】
そして、評定値算出手段１７０４４は、評定値の算出を受け付けた音響のすべてについて完了する。そして、図２のフローチャートを用いて説明したように、すべての区間についての評定の完了まで、評定結果出力部１０５は、一まとまりの音響部分に対する評定値を出力する。評定結果の出力態様は問わない。出力態様の例は、実施の形態１で説明したような態様が考えられる。また、すべての区間についての評定の完了した後、図２のフローチャートのステップＳ２０９、Ｓ２１０の処理、つまり、評定結果出力部１０５は、総合点の算出、出力処理を実行することが好適である。なお、評定結果出力部１０５は、総合点の出力のみ行っても良いし、一まとまりの音響部分に対する評定値を出力するだけでも良いし、両方の出力を行っても良い。
【００７５】
次に、具体的な音響評定装置の評定処理の第一の例について説明する。今、例えば、アメリカ人の学習者が、日本語の練習をしている。そして、学習者は、音響「ゆうがたまでつづいた」と発音した、とする。本音響評定装置は、この発音が日本語の発音として良いか否かを定量的に算出して、出力するものとする。
本音響評定装置の模範評定情報格納部１０３は、模範的な日本語の発音の「ゆうがたまでつづいた」の音情報である模範評定情報を格納している、とする。
そして、音響受付部１０１は、学習者が発声した音響「ゆうがたまでつづいた」を受け付ける。
【００７６】
次に、時間構造情報抽出部１０２は、音響受付部１０１が受け付けた音響の時間構造情報を取得する。つまり、時間構造情報抽出部１０２は、図２１に示す時間構造情報を取得する。図２１の時間構造情報を示す表は、「時間（ｍｓ）」「音韻」「音韻長（ｍｓ）」「母音開始点（ｍｓ）」「母音開始点間隔（ｍｓ）」を有するレコードを１以上有する。「時間（ｍｓ）」は、開始時点から、音韻の開始時点までの時間（単位：ｍｓ）である。「音韻」は、音韻を示す。「音韻」は、休止や終了を含む。「音韻長（ｍｓ）」は、音韻の長さ（単位：ｍｓ）である。「母音開始点（ｍｓ）」は、母音（ａ，ｉなど）の開始時点（単位：ｍｓ）を示す。「母音開始点間隔（ｍｓ）」は、母音間の間隔（単位：ｍｓ）を示す。「母音開始点間隔（ｍｓ）」の最初の値「２１５」は、母音「ｕ」の開始点「１６０」と母音「ａ」の開始点「３７５」の間隔であり、「３７５−１６０」により算出される。つまり、時間構造情報抽出部１０２が取得する時間構造情報は、ここでは、最終的には、母音開始点間隔である。
【００７７】
次に、第一時間構造情報取得手段１０４１は、図２１の音響情報から、一まとまりの音響部分である最初の文節の音響「ゆうがたまでつづいた」の時間構造情報を取得する。ここで、一まとまりの音響部分は、音響受付部１０１が受け付けた音響全体である。
【００７８】
次に、第二時間構造情報取得手段１０４２は、模範評定情報に基づく模範時間構造情報のうち、音響「ゆうがたまでつづいた」に対応する時間構造情報である第二時間構造情報を取得する。つまり、第二時間構造情報取得手段１０４２は、図２２に示す第二時間構造情報を取得する。図２２の表は、「時間（ｍｓ）」「音韻」「音韻長（ｍｓ）」「母音開始点（ｍｓ）」「母音開始点間隔（ｍｓ）」を有するレコードを１以上有する。
【００７９】
次に、評定値算出手段１０４４は、第一時間構造情報と第二時間構造情報を比較し、各音韻の時間長の差を取得する。かかる差異が、図２３の表の「母音開始点間隔誤差（ｍｓ）」である。この属性値「母音開始点間隔誤差（ｍｓ）」が示す値は、第一時間構造情報の母音開始点間隔と第二時間構造情報の母音開始点間隔の差である。
次に、評定値算出手段１０４４は、前半部強調評価ルール、音強度強調ルールに基づいて、図２３の表の「母音開始点間隔誤差（ｍｓ）」の値に、重み付けを行う。
【００８０】
そして、評定値算出手段１０４４は、図２３の表の「重み付き誤差」を得る。なお、図２３の表は、「時間（ｍｓ）」「音韻」「音韻長（ｍｓ）」「母音開始点（ｍｓ）」「母音開始点間隔（ｍｓ）」「母音開始点間隔誤差（ｍｓ）」「先頭からの個数に対応した重み（母音開始点間隔）」「母音開始点の強さ（ｄＢ）」「強さに由来した重み（母音開始点）」「強さに対応した重み（母音開始点間隔）」「重み付き誤差」を有する。「先頭からの個数に対応した重み（母音開始点間隔）」の各属性値は、ここでの、前半部強調評価ルールである。「強さに対応した重み（母音開始点間隔）」の各属性値は、ここでの、音強度強調ルールである。
【００８１】
評定値算出手段１０４４は、先に算出した「母音開始点間隔誤差（ｍｓ）」の各属性値に、対応する属性値「先頭からの個数に対応した重み（母音開始点間隔）」と、属性値「強さに対応した重み（母音開始点間隔）」を乗じて、属性値「重み付き誤差」を得る。この属性値が、前半部強調評価ルール、および音強度強調ルールを適用して重み付けした、音響の評価結果である。
【００８２】
なお、「母音開始点の強さ（ｄＢ）」は、音強度取得手段１７０４１が取得する。また、音強度強調ルールは、音響受付部１０１が受け付けた音響の音強度の平均に対する評価対象の音韻の音強度の割合を算出する、というルールである。つまり、音強度強調ルールの適用により、「８２／（（８２＋５５＋９２＋５８＋６７＋８５＋６２＋５１＋８０）／９）」が算出され、「１．１９」が得られる。「１．１９」は、「強さに由来した重み（母音開始点）」の最初の値である。
【００８３】
なお、「強さに対応した重み（母音開始点間隔）」は、関係する２つの「強さに由来した重み（母音開始点）」の値を平均したものである。例えば、強さに対応した重み「０．０９」は、「（１．１９＋０．８０）／２」により算出される。
【００８４】
次に、評定値算出手段１７０４４は、総合点を算出する。評定値算出手段１７０４４は、図２３の「重み付き誤差」の各属性値（誤差量）のＲＭＳを算出する。このＲＭＳを重み付きＲＭＳという。なお、ＲＭＳは、「√（Σ（ＴＸ（ｉ）−ＴＲ（ｉ））２／ｎ）」（二乗平均の平方根）である。ＴＸ（ｉ）、ＴＲ（ｉ）は、上述した定義を参照できる。
そして、評定値算出手段１７０４４は、「重み付きＲＭＳ（評定値）＝２８．２９０」を得る。
次に、評定結果出力部１０５は、評定結果（評定値）を出力する。出力態様は、問わない。出力態様の例は、図１６である。
【００８５】
なお、重み付けを行わない場合の評定値は、図２３の属性値「母音開始点間隔誤差（ｍｓ）」をパラメータとして算出できる。ここで、ＲＭＳの式に代入すると、重み付けしない場合は、「評定値＝１８．３７１」と算出される。
したがって、第一の例においては、重み付けをし、人間の知覚に近い音響評価を行った結果、重み付けしない画一的な評定処理の場合と比較して、より誤差が強調された。
【００８６】
次に、具体的な音響評定装置の評定処理の第二の例について説明する。第一の例の場合と同様に、例えば、第二のアメリカ人の学習者が、日本語の練習をしている。そして、学習者は、音響「ゆうがたまでつづいた」と発音した、とする。本音響評定装置は、この発音が日本語の発音として良いか否かを定量的に算出して、出力するものとする。
本音響評定装置の模範評定情報格納部１０３は、模範的な日本語の発音の「ゆうがたまでつづいた」の音情報である模範評定情報を格納している。
そして、音響受付部１０１は、学習者が発声した音響「ゆうがたまでつづいた」を受け付ける。
次に、時間構造情報抽出部１０２は、音響受付部１０１が受け付けた音響の時間構造情報を取得する。つまり、時間構造情報抽出部１０２は、図２４に示す時間構造情報を取得する。
【００８７】
次に、第一時間構造情報取得手段１０４１は、図２４の音響情報から、一まとまりの音響部分である最初の文節の音響「ゆうがたまでつづいた」の時間構造情報を取得する。つまり、ここでの一まとまりの音響部分も、音響受付部１０１が受け付けた音響全体である。
【００８８】
次に、第二時間構造情報取得手段１０４２は、模範評定情報に基づく模範時間構造情報のうち、音響「ゆうがたまでつづいた」に対応する時間構造情報である第二時間構造情報を取得する。つまり、第二時間構造情報取得手段１０４２は、図２２に示す第二時間構造情報を取得する。
【００８９】
次に、評定値算出手段１０４４は、第一時間構造情報と第二時間構造情報を比較し、各音韻の時間長の差を取得する。かかる差異が、図２５の表の「母音開始点間隔誤差（ｍｓ）」である。この属性値「母音開始点間隔誤差（ｍｓ）」が示す値は、第一時間構造情報の母音開始点間隔と第二時間構造情報の母音開始点間隔の差である。
次に、評定値算出手段１０４４は、上記第一の例と同様に、前半部強調評価ルール、音強度強調ルールに基づいて、図２５の表の「母音開始点間隔誤差（ｍｓ）」の値に、重み付けを行う。
【００９０】
そして、評定値算出手段１０４４は、図２５の表の「重み付き誤差」を得る。つまり、評定値算出手段１０４４は、先に算出した「母音開始点間隔誤差（ｍｓ）」の各属性値に、対応する属性値「先頭からの個数に対応した重み（母音開始点間隔）」と、属性値「強さに対応した重み（母音開始点間隔）」を乗じて、属性値「重み付き誤差」を得る。この属性値が、前半部強調評価ルール、および音強度強調ルールを適用して重み付けした、音響の評価結果である。
次に、評定値算出手段１７０４４は、総合点を算出する。評定値算出手段１７０４４は、図２５の「重み付き誤差」の各属性値（誤差量）のＲＭＳを算出する。
そして、評定値算出手段１７０４４は、「重み付きＲＭＳ（評定値）＝１２．３４０」を得る。
次に、評定結果出力部１０５は、評定結果（評定値）を出力する。出力態様は、問わない。出力態様の例は、図１６である。
【００９１】
なお、重み付けを行わない場合の評定値は、図２５の属性値「母音開始点間隔誤差（ｍｓ）」をパラメータとして算出できる。ここで、ＲＭＳの式に代入すると、重み付けしない場合は、「評定値＝２３．１１７」と算出される。
したがって、第二の例においては、重み付けをし、人間の知覚に近い音響評価を行った結果、重み付けしない画一的な評定処理の場合と比較して、より誤差が減縮された。
以上、本実施の形態によれば、音の強さが時間構造のずれに与える影響を加味した、音響の評定ができる。そのため、本実施の形態における音響評定装置は、さらに人間の知覚に合致した音響の評定が可能となる。
【００９２】
なお、本実施の形態の具体例において適用した重み付けのルールは、前半部強調評価ルール、音強度強調ルールだけであった。ただし、本実施の形態において、他の重み付けのルールを１以上、適用しても良い。他の重み付けのルールの例としては、上述した規則強調ルール、前半伸長強調ルール、および後半圧縮強調ルールなどがある。かかることは、他の実施の形態においても同様である。
【００９３】
また、本実施の形態において、時間構造情報抽出部１０２や第二時間構造情報取得手段１０４２等は、各音韻の開始点の時点（ｍｓ）を取得した（図２６（ａ）参照）。しかし、時間構造情報抽出部１０２や第二時間構造情報取得手段１０４２等は、各音韻の開始点と終了点の時点（ｍｓ）を取得しても良い。各音が明示的な継続時間長を持つ場合に、開始点だけでなく、継続時間長すなわち開始点と終了点との間隔を用いて、音響の評定を行うことは好適である。図２６（ａ）の標準音響（Ｒ６）の音声では、母音開始点のみが検出されているが、時間構造情報抽出部１０２等は、全音韻の開始点、および終了点を検出して、音韻境界における強さの変化を取り出しても良い。かかる場合、時間構造情報抽出部１０２等は、標準音響（Ｒ７）（図２６（ｃ）参照）のような時間構造を持つ時間構造情報を得ることとなる。
【００９４】
さらに、本実施の形態における情報処理装置を実現するソフトウェアは、以下のようなプログラムである。つまり、このプログラムは、コンピュータに、音響を受け付ける音響受付ステップと、前記音響受付ステップで受け付けた音響から、当該音響の時間構造に関する情報である時間構造情報を抽出する時間構造情報抽出ステップと、前記時間構造情報抽出ステップで抽出した時間構造情報と格納されている模範評定情報に基づく模範時間構造情報に基づいて前記音響の評定を行い、かつ所定のルールに基づいて前記音響の評定を行う評定ステップと、前記評定ステップにおける評定結果を出力する評定結果出力ステップを実行させるためのプログラム、である。
【００９５】
また、上記プログラムに対して、前記所定のルールは、音強度取得手段が取得した２以上の音強度の値が異なる場合には、音強度に応じた重みが加味され、評定値が算出されるというルールである音強度強調ルールであり、前記評定ステップは、前記時間構造情報抽出ステップで抽出した時間構造情報のうち、所定のまとまりのある音響部分の時間構造情報である第一時間構造情報を取得する第一時間構造情報取得ステップと、前記模範評定情報に基づく模範時間構造情報のうち、所定のまとまりのある音響部分の時間構造情報である第二時間構造情報を取得する第二時間構造情報取得ステップと、前記模範評定情報に基づく音の強さを示す情報である音強度を取得する音強度取得ステップと、前記第一時間構造情報と前記第二時間構造情報を比較し、前記音強度強調ルールに基づいて評定値を算出する評定値算出ステップを具備するプログラム、である。
（実施の形態３）
図２７は、本実施の形態における音響出力装置のブロック図である。
【００９６】
音響出力装置は、音響受付部１０１、時間構造情報抽出部１０２、模範評定情報格納部１０３、評定部１０４、評定結果出力部１０５、時間構造情報部分補正部２１０１、補正音響構成部２１０２、音響出力部２１０３を具備する。
【００９７】
時間構造情報部分補正部２１０１は、第一時間構造情報取得手段１０４１、第二時間構造情報取得手段１０４２、前半部分補正手段２１０１１、規則部分補正手段２１０１２、前半伸長部分補正手段２１０１３、後半圧縮部分補正手段２１０１４を具備する。
【００９８】
時間構造情報部分補正部２１０１は、時間構造情報抽出部１０２が抽出した時間構造情報と、模範評定情報に基づく模範時間構造情報に基づいて、時間構造情報の一部の時間構造情報を補正する。時間構造情報抽出部１０２が抽出した時間構造情報の中で、模範評定情報に基づく模範時間構造情報と一致していない時間構造情報を補正する場合に、時間構造情報部分補正部２１０１は、当該時間構造情報の一部のみを補正する。かかる時間構造情報の一部を選択するアルゴリズムは種々ある。かかるアルゴリズムの例は、以下で述べる前半部分補正手段２１０１１、規則部分補正手段２１０１２、前半伸長部分補正手段２１０１３、および後半圧縮部分補正手段２１０１４が補正対象の時間構造情報を選択するアルゴリズムである。時間構造情報部分補正部２１０１は、通常、ＭＰＵやメモリ等から実現され得る。時間構造情報部分補正部２１０１の処理手順は、通常、ソフトウェアで実現され、当該ソフトウェアはＲＯＭ等の記録媒体に記録されている。但し、ハードウェア（専用回路）で実現しても良い。
【００９９】
前半部分補正手段２１０１１は、第一時間構造情報のうちの前半部の情報のずれを、対応する第二時間構造情報に基づいて補正をする。前半部とは、所定のまとまりのある音響部分の、第一時間構造情報のうちの前半の部分である。前半部は、対象の時間構造情報の最初の時間構造情報を含み、その時間幅は問わない。つまり、前半部の幅は、何でも良い。前半部分補正手段２１０１１は、通常、ＭＰＵやメモリ等から実現され得る。前半部分補正手段の処理手順は、通常、ソフトウェアで実現され、当該ソフトウェアはＲＯＭ等の記録媒体に記録されている。但し、ハードウェア（専用回路）で実現しても良い。
【０１００】
規則部分補正手段２１０１２は、第二時間構造情報が規則的であることを示す情報であり、当該第二時間構造情報に対応する第一時間構造情報と、当該第二時間構造情報にずれが存在する場合に、第一時間構造情報のうちの当該ずれを第二時間構造情報に基づいて補正する。規則部分補正手段２１０１２は、通常、ＭＰＵやメモリ等から実現され得る。規則部分補正手段２１０１２の処理手順は、通常、ソフトウェアで実現され、当該ソフトウェアはＲＯＭ等の記録媒体に記録されている。但し、ハードウェア（専用回路）で実現しても良い。
【０１０１】
前半伸長部分補正手段２１０１３は、第二時間構造情報の前半部と第一時間構造情報前半部と比較し、第一時間構造情報の前半部の情報が示す時間情報が、対応する第二時間構造情報の前半部の情報が示す時間情報と比較して伸びていることを示す場合に、当該第一時間構造情報の該当部分を、第二時間構造情報に基づいて補正する。前半部の幅は問わないことは上述した通りである。前半伸長部分補正手段２１０１３は、通常、ＭＰＵやメモリ等から実現され得る。前半伸長部分補正手段２１０１３の処理手順は、通常、ソフトウェアで実現され、当該ソフトウェアはＲＯＭ等の記録媒体に記録されている。但し、ハードウェア（専用回路）で実現しても良い。
【０１０２】
後半圧縮部分補正手段２１０１４は、第二時間構造情報の後半部と第一時間構造情報後半部と比較し、第一時間構造情報の後半部の情報が示す時間情報が、対応する第二時間構造情報の後半部の情報が示す時間情報と比較して縮んでいることを示す場合に、当該第一時間構造情報の該当部分を、第二時間構造情報に基づいて補正する。後半部は、対象の時間構造情報の最後の時間構造情報を含み、その時間幅は問わない。つまり、後半部の幅は、何でも良い。後半圧縮部分補正手段２１０１４は、通常、ＭＰＵやメモリ等から実現され得る。後半圧縮部分補正手段の処理手順は、通常、ソフトウェアで実現され、当該ソフトウェアはＲＯＭ等の記録媒体に記録されている。但し、ハードウェア（専用回路）で実現しても良い。
【０１０３】
補正音響構成部２１０２は、時間構造情報部分補正部２１０１が一部を補正して得た時間構造情報と、音響受付部１０３が受け付けた音響に基づいて、補正された音響を構成する。つまり、補正音響構成部２１０２は、音響受付部１０３が受け付けた音響の時間構造を、時間構造情報部分補正部２１０１が一部を補正して得た時間構造情報が示す時間構造に変更し、新たな音響を構成する。補正音響構成部２１０２は、通常、音響受付部１０３が受け付けた音響のうち、時間構造以外の他の特徴量を変更しないが、他の要因等により、時間構造以外の他の特徴量を変更しても良い。補正音響構成部２１０２は、通常、ＭＰＵやメモリ等から実現され得る。補正音響構成部の処理手順は、通常、ソフトウェアで実現され、当該ソフトウェアはＲＯＭ等の記録媒体に記録されている。但し、ハードウェア（専用回路）で実現しても良い。
【０１０４】
音響出力部２１０３は、補正音響構成部２１０２が構成した音響を出力する。出力とは、通常、スピーカーからの音出力であるが、音響の波形のディスプレイへの表示、プリンタへの印字、外部の装置への音響のデータの送信、記録媒体への蓄積等を含む概念である。音響出力部２１０３は、スピーカー等の出力デバイスを含むと考えても含まないと考えても良い。音響出力部２１０３は、出力デバイスのドライバーソフトまたは、出力デバイスのドライバーソフトと出力デバイス等で実現され得る。
次に、音響出力装置の動作について図２８、図２９のフローチャートを用いて説明する。なお、図２８のフローチャートにおいて、図２のフローチャートと異なるステップについてのみ説明する。
【０１０５】
（ステップＳ２８０１）時間構造情報部分補正部２１０１は、ｉ番目の音響部分を補正し、補正音響構成部２１０２は、補正した音響を構成する。音響部分を補正する音響補正処理について、図２９のフローチャートを用いて説明する。
（ステップＳ２８０２）音響出力部２１０３は、ステップＳ２０１で構成した補正音響を出力する。
次に、音響出力装置の音響補正処理について図２９のフローチャートを用いて説明する。なお、図２９のフローチャートにおいて、図４のフローチャートと異なるステップについてのみ説明する。
【０１０６】
（ステップＳ２９０１）時間構造情報部分補正部２１０１は、ステップＳ４０６で取得したｉ番目の時間構造情報の差が、所定値以上であるか否かを判断する。ここでは、模範時間構造情報と比較して、所定値未満の差しかない時間構造情報に対しては、補正処理を行わないとする。
【０１０７】
（ステップＳ２９０２）規則部分補正手段２１０１２は、ステップＳ４０３で一時格納した判断結果が規則的であるとの判断結果であるか否かを判断する。規則的であるとの判断結果である場合はステップＳ２９０３に行き、規則的であるとの判断結果でない場合はステップＳ２９０５に行く。
（ステップＳ２９０３）時間構造情報部分補正部２１０１は、模範評定情報に基づく模範時間構造情報に基づいて、ｉ番目の第一時間構造情報を補正する。
（ステップＳ２９０４）時間構造情報部分補正部２１０１は、カウンタｉを１、インクリメントする。ステップＳ４０５に戻る。
【０１０８】
（ステップＳ２９０５）前半部分補正手段２１０１１は、一まとまりの音響部分の中で、ｉ番目の時間構造情報に対応する時点が、前半部であるか否かを判断する。前半部であればステップＳ２９０３に行き、前半部でなければステップＳ２９０６に行く。なお、いずれの範囲を前半部であるとするかは問わない。
【０１０９】
（ステップＳ２９０６）後半圧縮部分補正手段２１０１４は、一まとまりの音響部分の中で、ｉ番目の時間構造情報に対応する時点が、後半部であるか否かを判断する。後半部であればステップＳ２９０７に行き、後半部でなければステップＳ２９０４に行く。なお、いずれの範囲を後半部であるとするかは問わない。
【０１１０】
（ステップＳ２９０７）後半圧縮部分補正手段２１０１４は、模範時間構造情報が示す時間間隔に対して、評定対象の音響部分の時間構造情報が、時間的に圧縮しているか否かを判断する。圧縮していればステップＳ２９０３に行き、圧縮していなければステップＳ２９０４に行く。
（ステップＳ２９０８）補正音響構成部２１０２は、ステップＳ２０３におけるｉ番目の音響部分の時間構造を、補正後の時間構造情報に変更し、音響を合成する。上位関数にリターンする。
【０１１１】
なお、図２８のフローチャートにおいて、図４のフローチャートにおける動作に関して重複するので、各重複する処理は、一度だけ行うことが好適である。処理説明の分かりやすさを担保するために、また、評定処理と音響補正処理を区分して説明するために、図２８のフローチャートにおいて、図４のフローチャートと重複する処理が存在する。
【０１１２】
また、図２８のフローチャートにおいて、前半伸長部分補正手段２１０１３は、時間構造情報の補正のために動作しなかった。前半部分補正手段２１０１１が前半部の補正を行ったからである。図２８のフローチャートにおいて、前半部分補正手段２１０１１が補正処理を行わずに、前半伸長部分補正手段２１０１３が、第二時間構造情報の前半部と第一時間構造情報前半部と比較し、第一時間構造情報の前半部の情報が示す時間情報が、対応する第二時間構造情報の前半部の情報が示す時間情報と比較して伸びていることを示す場合に、当該第一時間構造情報の該当部分を、第二時間構造情報に基づいて補正するようにしても良い。
【０１１３】
また、上記の時間構造情報部分補正部２１０１は、時間構造情報抽出部１０２が抽出した時間構造情報のうち、所定のまとまりのある音響部分の時間構造情報である第一時間構造情報を取得する第一時間構造情報取得手段１０４１と、模範評定情報に基づく模範時間構造情報のうち、所定のまとまりのある音響部分の時間構造情報である第二時間構造情報を取得する第二時間構造情報取得手段１０４２を具備し、第二時間構造情報が規則的ではない場合に、当該第二時間構造情報に対応する第一時間構造情報の後半部は補正しないことは好適である。当該第二時間構造情報に対応する第一時間構造情報の後半部は、人間の知覚に及ぼす影響は少なく、補正しなくても、人間が受ける印象はさほど変化しないからである。
以上、本実施の形態によれば、少ない処理量で、人間の知覚に違和感がない、良好な音響を出力することができる。
【０１１４】
なお、本実施の形態における音響出力装置を実現するソフトウェアは、以下のようなプログラムである。つまり、このプログラムは、コンピュータに、音響の入力を受け付ける音響受付ステップと、前記音響受付ステップで受け付けた音響から、当該音響の時間構造に関する情報である時間構造情報を抽出する時間構造情報抽出ステップと、前記時間構造情報抽出ステップで抽出した時間構造情報と、格納している模範評定情報に基づく模範時間構造情報に基づいて、前記時間構造情報の一部の時間構造情報を補正する時間構造情報部分補正ステップと、前記時間構造情報部分補正ステップで一部を補正して得た時間構造情報と、前記音響受付部が受け付けた音響に基づいて、補正された音響を構成する補正音響構成ステップと、前記補正音響構成ステップで構成した音響を出力する音響出力ステップを実行させるためのプログラム、である。
【０１１５】
また、上記プログラムに対して、前記時間構造情報部分補正ステップは、前記時間構造情報抽出ステップで抽出した時間構造情報のうち、所定のまとまりのある音響部分の時間構造情報である第一時間構造情報を取得する第一時間構造情報取得ステップと、前記模範評定情報に基づく模範時間構造情報のうち、所定のまとまりのある音響部分の時間構造情報である第二時間構造情報を取得する第二時間構造情報取得ステップと、前記第一時間構造情報のうちの前半部の情報のずれを、対応する第二時間構造情報に基づいて補正をする前半部分補正ステップを具備するプログラム、である。
【０１１６】
また、上記プログラムに対して、前記時間構造情報部分補正ステップは、前記時間構造情報抽出ステップで抽出した時間構造情報のうち、所定のまとまりのある音響部分の時間構造情報である第一時間構造情報を取得する第一時間構造情報取得ステップと、前記模範評定情報に基づく模範時間構造情報のうち、所定のまとまりのある音響部分の時間構造情報である第二時間構造情報を取得する第二時間構造情報取得ステップと、前記第二時間構造情報が規則的であることを示す情報であり、当該第二時間構造情報に対応する第一時間構造情報と、当該第二時間構造情報にずれが存在する場合に、前記第一時間構造情報のうちの当該ずれを前記第二時間構造情報に基づいて補正する規則部分補正ステップを具備するプログラム、である。
【０１１７】
また、上記プログラムに対して、前記時間構造情報部分補正ステップは、前記時間構造情報抽出ステップで抽出した時間構造情報のうち、所定のまとまりのある音響部分の時間構造情報である第一時間構造情報を取得する第一時間構造情報取得ステップと、前記模範評定情報に基づく模範時間構造情報のうち、所定のまとまりのある音響部分の時間構造情報である第二時間構造情報を取得する第二時間構造情報取得ステップを具備し、前記第二時間構造情報が規則的ではない場合に、当該第二時間構造情報に対応する第一時間構造情報の後半部は補正しないことを特徴とするプログラム、である。
【０１１８】
また、上記プログラムに対して、前記時間構造情報部分補正ステップは、前記時間構造情報抽出ステップで抽出した時間構造情報のうち、所定のまとまりのある音響部分の時間構造情報である第一時間構造情報を取得する第一時間構造情報取得ステップと、前記模範評定情報に基づく模範時間構造情報のうち、所定のまとまりのある音響部分の時間構造情報である第二時間構造情報を取得する第二時間構造情報取得ステップと、前記第二時間構造情報の前半部と前記第一時間構造情報前半部と比較し、前記第一時間構造情報の前半部の情報が示す時間情報が、対応する前記第二時間構造情報の前半部の情報が示す時間情報と比較して伸びていることを示す場合に、当該第一時間構造情報の該当部分を、前記第二時間構造情報に基づいて補正する前半伸長部分補正ステップ、および／または前記第二時間構造情報の後半部と前記第一時間構造情報後半部と比較し、前記第一時間構造情報の後半部の情報が示す時間情報が、対応する前記第二時間構造情報の後半部の情報が示す時間情報と比較して縮んでいることを示す場合に、当該第一時間構造情報の該当部分を、前記第二時間構造情報に基づいて補正する後半圧縮部分補正ステップを具備するプログラム、である。
【０１１９】
また、上記プログラムに対して、コンピュータに、前記時間構造情報抽出ステップで抽出した時間構造情報と、前記模範評定情報に基づく模範時間構造情報に基づいて前記音響の評定を行い、かつ所定のルールに基づいて前記音響の評定を行う評定ステップと、前記評定ステップにおける評定結果を出力する評定結果出力ステップをさらに実行させるプログラム、である。
（実施の形態４）
【０１２０】
本実施の形態において、上述した事象の検出方法について説明する。事象の検出は、例えば、以下のような事象検出装置により行う。つまり、上記の時間構造情報抽出部１０２が本実施の形態で述べる事象検出装置を具備していることとなる。
【０１２１】
図３０に、本実施の形態に係る事象検出装置２２のブロック図を示す。事象検出装置２２は、入力音響信号である音声信号２０から、事象検出出力２４を出力するためのものである。事象検出装置２２は、音声信号２０に対して人間の外耳及び中耳の特性を反映したフィルタ処理を行なうためのバンドパスフィルタ３０と、バンドパスフィルタ３０の出力を帯域分割するための、人間の内耳特性を模した定Ｑ型ガンマ・トーン・フィルタ・バンク３２と、定Ｑ型ガンマ・トーン・フィルタ・バンク３２の出力に対し、フィルタ・チャネルごとに人間の聴覚特性を模した処理を行ない、さらに細かい変動を除去した上で帯域ごとの事象生起の可能性を示す事象情報を検出するための複数の帯域別処理部３４とを含む。
事象検出装置２２はさらに、これら複数の帯域別処理部３４の出力の算術平均を算出す
ることにより事象検出情報を統合化し、新規事象発生の可能性を示す指標として出力する
ための情報統合部３６と、情報統合部３６の出力が極大値をとる時間軸上の点を新規事象
発生点として事象検出出力２４を出力するための極大値検出部３８とを含む。
【０１２２】
図３１に、帯域別処理部３４の構成を示す。いずれの帯域別処理部３４も同様の構成を持つ。帯域別処理部３４は、入力されるフィルタ・チャネル信号に対して、人間の蝸牛神経核以降の生体内情報を模擬する信号処理を行なうための半波整流部５０及び対数圧縮処理部５２と、対数圧縮処理部５２の出力から細かい変動を除去するためのローパスフィルタ５４と、ローパスフィルタ５４の出力に対し時間微分を行なうことにより、この帯域の活性量の変化率の指標となる信号を出力するための時間微分処理部５６と、時間微分処理部５６が出力する変化率に対し、事象の開始点のみをマークするために、所定のしきい値よりも値の小さい部分および負の部分をクリップして所定の値にフロアリングし、新規事象の発生点らしさを表す指標を出力するためのフロアリング処理部５８とを含む。
【０１２３】
フロアリングするしきい値を小さくとると、比較的小さな変動までも事象の開始点として検出され、大きくとると小さな変動は無視される。したがって、しきい値を調整することにより、どの程度の大きさの変動を事象の開始点とするか、そのレベルを調整できる。
【０１２４】
次に、上記した構成を持つ事象検出装置２２の動作について説明する。図３０において、音声信号２０に対してはバンドパスフィルタ３０によるバンドパスフィルタ処理が施され、外耳及び内耳の特性を反映した信号となる。この信号は定Ｑ型ガンマ・トーン・フィルタ・バンク３２に与えられ、帯域分割される。
【０１２５】
図３１によれば、帯域別処理部３４の各々に与えられたフィルタ・チャネル信号に対して半波整流部５０による半波整流及び対数圧縮処理部５２による対数圧縮がされ、その結果、人間の蝸牛神経核以降の生体内情報を模した信号が得られる。この信号をローパスフィルタ５４に通すことで、信号の微小な変動が除去される。ローパスフィルタ５４の出力に関する全帯域の聴覚的スペクトログラムを図３２（Ａ）に示す。なお、図３２（Ｂ）には比較のために、同様の処理を一般的なＦＦＴ（Ｆａｓｔ  Ｆｏｕｒｉｅｒ  Ｔｒａｎｓｆｏｒｍ）分析を基に行なった場合に得られる聴覚的スペクトログラムを示す。
【０１２６】
また、図３１において、ローパスフィルタ５４の出力を時間微分処理部５６に与えることにより、このフィルタ・チャネルの活性量の変化率の指標とする。時間微分処理部５６の出力として得られる、聴覚的スペクトログラムに基づく各帯域の活性量の変化率を図３３（Ａ）に示す。図３３（Ｂ）には図３２（Ｂ）と同様、ＦＦＴ処理に基づく各帯域の活性量の変化率を示す。図３３において、黒い部分ほど新規事象が開始したことを知らせる手掛りを多く送っていることになる。白い部分は反対に音の終了点に対応する。
【０１２７】
新規事象の開始点のみをマークするため、時間微分処理部５６の出力をフロアリング処理部５８に与える。フロアリング処理部５８により、時間微分処理部５６の出力のうち、フロアリングのためのしきい値よりも小さな部分はしきい値にフロアリングされる。具体的には、信号の値としきい値とのうちの最大値で信号の値を置換する。この処理の結果を図３４（Ａ）に示す。ＦＦＴ処理に基づくものを図３４（Ｂ）に示す。この結果、帯域ごとに、新規事象の発生点らしさを表す指標が得られる。具体的には、図３４（Ａ）において、黒い部分が、その帯域において新規事象が発生している可能性が高いことを示している。
【０１２８】
再び図３０を参照して、このようにして帯域ごとに得られた帯域別処理部３４の出力を加算平均する。その結果得られた値を時間の関数として示したのが図３５（Ａ）である。図３２〜図３４と同様、ＦＦＴに基づいて得られた関数を図３５（Ｂ）に示す。図３５（Ａ）に示すグラフは、帯域全体から得られた、新規事象発生の可能性を表す指標と考えられる。したがってその極大値を調べ、その極大値に対応する時間軸上の点を事象生起点とする。
【０１２９】
前述したとおり、フロアリングのしきい値の大きさを調整することにより、最終的に得られる極大値の数を調整することができる。すなわち、フロアリング処理のしきい値を上げることによって極大値の数は減少し、下げると増大する。
【０１３０】
図３５（Ａ）と図３５（Ｂ）とを比較すると容易に分かるように、同じフロアリングしきい値を用いているにもかかわらず、本実施の形態によれば適正な数の極大値が得られているのに対し、ＦＦＴ処理によるものでは極大値の数が多く、不要なものまで現れていることが分かる。ＦＦＴ処理による場合、このような不要な極大値を消そうとしてフロアリングのしきい値を大きくすると、必要な極大値まで消えてしまうことが起きやすい。
本実施の形態での処理と、ＦＦＴに基づく処理との基本的な相違は、帯域分割の仕方にある。例えば通常のＦＦＴ処理では、フォルマントの僅かな移動が高域においては異なる
周波数チャネルへのエネルギーの移動となり、そのチャネルにおける新しい事象の発生として潜在力を持ってしまう。それに対して本実施の形態では、帯域分割を定Ｑ型ガンマ・トーン・フィルタ・バンク３２により行なっているため、高域に行くにつれバンド幅は中心周波数に比例的に広がる。そのため、ＦＦＴ処理による場合のような事態を招きにくくなる。この相違が、図３５（Ａ）と図３５（Ｂ）との相違となって現れている。
なお、フィルタ・バンクとしては上記した定Ｑ型フィルタが望ましいが、中心周波数の単調関数としてバンド幅が広がるようなフィルタ・バンクであれば、上記した効果をある程度期待できる。
なお、本発明の音響評定装置や音響出力装置で用いる事象の検出方法は、上記した検出方法に限らないことはいうまでもない。
【０１３１】
また、図３６は、本明細書で述べたプログラムを実行して、上述した種々の実施の形態の音響評定装置、または音響出力装置を実現するコンピュータの外観を示す。上述の実施の形態は、コンピュータハードウェア及びその上で実行されるコンピュータプログラムで実現され得る。図３６は、このコンピュータシステム３００の概観図であり、図３７は、システム３００のブロック図である。
【０１３２】
図３６において、コンピュータシステム３００は、ＦＤ（Ｆｌｅｘｉｂｌｅ  Ｄｉｓｋ）ドライブ、ＣＤ−ＲＯＭ（Ｃｏｍｐａｃｔ  Ｄｉｓｋ  Ｒｅａｄ  Ｏｎｌｙ  Ｍｅｍｏｒｙ）ドライブを含むコンピュータ３０１と、キーボード３０２と、マウス３０３と、モニタ３０４と、マイク３０５と、スピーカー３０６とを含む。
【０１３３】
図３７において、コンピュータ３０１は、ＦＤドライブ３０１１、ＣＤ−ＲＯＭドライブ３０１２に加えて、ＣＰＵ（Ｃｅｎｔｒａｌ  Ｐｒｏｃｅｓｓｉｎｇ  Ｕｎｉｔ）３０１３と、ＣＰＵ３０１３、ＣＤ−ＲＯＭドライブ３０１２及びＦＤドライブ３０１１に接続されたバス３０１４と、ブートアッププログラム等のプログラムを記憶するためのＲＯＭ（Ｒｅａｄ−Ｏｎｌｙ  Ｍｅｍｏｒｙ）３０１５と、ＣＰＵ３０１３に接続され、アプリケーションプログラムの命令を一時的に記憶するとともに一時記憶空間を提供するためのＲＡＭ（Ｒａｎｄｏｍ  Ａｃｃｅｓｓ  Ｍｅｍｏｒｙ）３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【０１３４】
コンピュータシステム３００に、上述した実施の形態の音響評定装置、または音響出力装置の機能を実行させるプログラムは、ＣＤ−ＲＯＭ３１０１、またはＦＤ３１０２に記憶されて、ＣＤ−ＲＯＭドライブ３０１２またはＦＤドライブ３０１１に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１、ＦＤ３１０２またはネットワークから直接、ロードされても良い。
【０１３５】
プログラムは、コンピュータ３０１に、上述した実施の形態の音響評定装置、または音響出力装置の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０１３６】
また、上記各実施の形態において、各処理（各機能）は、単一の装置（システム）によって集中処理されることによって実現されてもよく、あるいは、複数の装置によって分散処理されることによって実現されてもよい。
また、上記プログラムを実行するコンピュータは、単数であってもよく、複数であってもよい。すなわち、集中処理を行ってもよく、あるいは分散処理を行ってもよい。
本発明は、以上の実施の形態に限定されることなく、種々の変更が可能であり、それらも本発明の範囲内に包含されるものであることは言うまでもない。
【産業上の利用可能性】
【０１３７】
以上のように、本発明にかかる音響評定装置は、音響の良し悪しを評価する場合に、人間の知覚に合致した態様で評価できる、という効果を有し、語学学習装置等として有用である。
【図面の簡単な説明】
【０１３８】
【図１】実施の形態１における音響評定装置のブロック図
【図２】同音響評定装置の動作について説明するフローチャート
【図３】同音響評定装置の動作について説明するフローチャート
【図４】同音響評定装置の動作について説明するフローチャート
【図５】同時間構造情報と模範時間構造情報の差の算出方法を説明する図
【図６】同時間構造情報と模範時間構造情報の差の算出方法を説明する図
【図７】同重み付けの例を説明する図
【図８】同重み付けの例を説明する図
【図９】同時間構造情報抽出部が取得した時間構造情報を示す図
【図１０】同音響部分に対応する時間構造情報を示す図
【図１１】同正規化後の時間構造情報を示す図
【図１２】同第二時間構造情報取得手段が取得した時間構造情報を示す図
【図１３】同両時間構造情報の「差異（絶対値）」を示す図
【図１４】同重み付けの例、評定結果を説明する図
【図１５】同評定結果を説明する図
【図１６】同評定値算出手段の出力例を示す図
【図１７】実施の形態２における音響評定装置のブロック図
【図１８】同音響評定装置の動作について説明するフローチャート
【図１９】同音強度取得手段が取得する音強度の規則性について説明する図
【図２０】同音強度の規則性の判断方法について説明する図
【図２１】同時間構造情報抽出部が取得した時間構造情報を示す図
【図２２】同第二時間構造情報取得手段が取得した時間構造情報を示す図
【図２３】同評定値算出手段が算出した評定値を示す図
【図２４】同時間構造情報抽出部が取得した時間構造情報を示す図
【図２５】同評定値算出手段が算出した評定値を示す図
【図２６】同時間構造情報の取得方法について説明する図
【図２７】同実施の形態３における音響出力装置のブロック図
【図２８】同音響出力装置の動作について説明するフローチャート
【図２９】同音響出力装置の動作について説明するフローチャー
【図３０】同実施の形態４に係る事象検出装置のブロック図
【図３１】同帯域別処理部の構成を示す図
【図３２】同ローパスフィルタの出力に関する全帯域の聴覚的スペクトログラム等を示す図
【図３３】同聴覚的スペクトログラムに基づく各帯域の活性量の変化率等を示す図
【図３４】同フロアリング処理部の処理結果等を示す図
【図３５】同帯域別処理部の処理の結果得られた値を時間の関数として示した図
【図３６】同音響評定装置等を構成するコンピュータシステムの概観図
【図３７】同音響評定装置等を構成するコンピュータのブロック図
【符号の説明】
【０１３９】
１０１  音響受付部
１０２  時間構造情報抽出部
１０３  音響受付部
１０３  模範評定情報格納部
１０４、１７０４  評定部
１０５  評定結果出力部
１０４１  第一時間構造情報取得手段
１０４２  第二時間構造情報取得手段
１０４３  ルール格納手段
１０４４、１７０４４  評定値算出手段
２１０１  時間構造情報部分補正部
２１０２  補正音響構成部
２１０３  音響出力部
１７０４１  音強度取得手段
２１０１１  前半部分補正手段
２１０１２  規則部分補正手段
２１０１３  前半伸長部分補正手段
２１０１４  後半圧縮部分補正手段
【図１】
2006251721.tif 000003
【図２】
2006251721.tif 000004
【図３】
2006251721.tif 000005
【図４】
2006251721.tif 000006
【図５】
2006251721.tif 000007
【図６】
2006251721.tif 000008
【図７】
2006251721.tif 000009
【図８】
2006251721.tif 000010
【図９】
2006251721.tif 000011
【図１０】
2006251721.tif 000012
【図１１】
2006251721.tif 000013
【図１２】
2006251721.tif 000014
【図１３】
2006251721.tif 000015
【図１４】
2006251721.tif 000016
【図１５】
2006251721.tif 000017
【図１６】
2006251721.tif 000018
【図１７】
2006251721.tif 000019
【図１８】
2006251721.tif 000020
【図１９】
2006251721.tif 000021
【図２０】
2006251721.tif 000022
【図２１】
2006251721.tif 000023
【図２２】
2006251721.tif 000024
【図２３】
2006251721.tif 000025
【図２４】
2006251721.tif 000026
【図２５】
2006251721.tif 000027
【図２６】
2006251721.tif 000028
【図２７】
2006251721.tif 000029
【図２８】
2006251721.tif 000030
【図２９】
2006251721.tif 000031
【図３６】
2006251721.tif 000032
【図３７】
2006251721.tif 000033
【図３０】
2006251721.tif 000034
【図３１】
2006251721.tif 000035
【図３２】
2006251721.tif 000036
【図３３】
2006251721.tif 000037
【図３４】
2006251721.tif 000038
【図３５】
2006251721.tif 000039